(57)【要約】  本発明は、無線通信方法、通信デバイス、チップ及びシステムを提供する。該方法は、端末デバイスが目標時間ユニットで伝送される複数の上りチャネル／信号を決定し、該複数の上りチャネル／信号が時間領域において少なくとも一部が重複され、該複数の上りチャネル／信号が制約条件を満たしている場合、該端末デバイス将該複数の上りチャネル／信号に搬送される情報を該目標時間ユニット内の１つのチャネル／信号に多重して伝送しすることを含み、ここで、該制約条件は、該複数の上りチャネル／信号のうちの最も早い上りチャネル／信号の１番目のシンボルが目標チャネル／信号の開始時間の後、又は最後のシンボルの後のＡ番目のシンボルよりも早くなく、該Ａが非負の整数であることを含む。本発明の実施例において、端末デバイスが、目標時間ユニット内の１つのチャネル/信号に複数の上りチャネル/信号に搬送される情報を多重して伝送するか否かを、制約条件により決定できるようにすることで、伝送すべき情報を効率的に伝送することができる。
2021527968.tif 000002
【特許請求の範囲】
【請求項１】
端末デバイスが目標時間ユニットで伝送される複数の上りチャネル／信号を決定し、前記複数の上りチャネル／信号が時間領域において少なくとも一部が重複されることと、
前記複数の上りチャネル／信号が制約条件を満たしている場合、前記端末デバイスが前記複数の上りチャネル／信号に搬送される情報を前記目標時間ユニット内の１つのチャネル／信号に多重して伝送することとを含み、
前記制約条件は、
前記複数の上りチャネル／信号のうちの最も早い上りチャネル／信号の１番目のシンボルが、目標チャネル／信号の開始時間の後、又は最後のシンボルの後のＡ番目のシンボルよりも早くなく、前記Ａが非負の整数であることを含む
ことを特徴とする無線通信方法。
【請求項２】
前記制約条件は、さらに、
前記複数の上りチャネル／信号のうちの最も早い上りチャネル／信号の開始時間が前記目標チャネル／信号の最後のシンボルの後のＢ番目のシンボルよりも早くなく、前記Ｂが非負の整数であることを含む
ことを特徴とする請求項１に記載の無線通信方法。
【請求項３】
前記複数の上りチャネル／信号の各上りチャネル／信号は、周期上りチャネル／信号である
ことを特徴とする請求項１又は２に記載の無線通信方法。
【請求項４】
前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための少なくとも１つの物理上り制御チャネルＰＵＣＣＨを含み、
前記目標チャネル／信号は、前記少なくとも１つのＰＵＣＣＨに対応するＳＰＳ−ＰＤＳＣＨのうちの最後のＳＰＳ−ＰＤＳＣＨである
ことを特徴とする請求項１〜３のいずれか１項に記載の無線通信方法。
【請求項５】
前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための物理上り制御チャネルＰＵＣＣＨを含まれず、
前記目標チャネル／信号は、前記目標時間ユニットの前に送信した、前記複数の上りチャネル／信号のうちの最後の上りチャネル／信号である
ことを特徴とする請求項１〜３のいずれか１項に記載の無線通信方法。
【請求項６】
前記方法は、さらに、
前記端末デバイスが前記複数の上りチャネル／信号が前記制約条件を満たさないと決定する場合、前記少なくとも１つのＰＵＣＣＨのうちの１つのＰＵＣＣＨを伝送することを含む
ことを特徴とする請求項４に記載の無線通信方法。
【請求項７】
前記方法は、さらに、
前記端末デバイスが前記複数の上りチャネル／信号が前記制約条件を満たさないと決定する場合、前記目標時間ユニットで伝送される複数の上りチャネル／信号がエラー状態にあると決定すること、又は、
前記端末デバイスが前記複数の上りチャネル／信号が前記制約条件を満たさないと決定する場合、前記複数の上りチャネル／信号のうちの最も早い上りチャネル／信号を伝送することを含む
ことを特徴とする請求項４又は５に記載の無線通信方法。
【請求項８】
前記上りチャネル／信号は、
準持続スケジューリング物理上り共有チャネルＳＰＳ−ＰＵＳＣＨ、
準持続スケジューリング物理下り共有チャネルＳＰＳ−ＰＤＳＣＨに対応する確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、
準持続的チャネル状態情報ＳＰＳ−ＣＳＩを搬送する物理上り制御チャネルＰＵＣＣＨ、
準持続的チャネル状態情報ＳＰＳ−ＣＳＩを搬送する物理上り共有チャネルＰＵＳＣＨ、及び
スケジューリング要求ＳＲを搬送する物理上り制御チャネルＰＵＣＣＨを含む
ことを特徴とする請求項１〜７のいずれか１項に記載の無線通信方法。
【請求項９】
前記Ａ＝Ｎ２＋１であり、Ｎ２が物理上り共有チャネルＰＵＳＣＨの準備時間である
ことを特徴とする請求項１〜８のいずれか１項に記載の無線通信方法。
【請求項１０】
前記Ｂ＝Ｎ１＋１＋ｄ１，２であり、Ｎ１が物理下り共有チャネルＰＤＳＣＨの処理時間であり、ｄ１，２の値がＰＤＳＣＨマッピング方式に関連する
ことを特徴とする請求項２〜９のいずれか１項に記載の無線通信方法。
【請求項１１】
ネットワークデバイスが目標時間ユニットで伝送される複数の上りチャネル／信号を決定し、前記複数の上りチャネル／信号が時間領域において少なくとも一部が重複されることと、
前記複数の上りチャネル／信号が制約条件を満たしている場合、前記ネットワークデバイスが前記目標時間ユニット内の１つのチャネル／信号を受信し、前記複数の上りチャネル／信号に搬送される情報が前記１つのチャネル／信号に多重して伝送することとを含む、
前記制約条件は、
前記複数の上りチャネル／信号のうちの最も早い上りチャネル／信号の１番目のシンボルが、目標チャネル／信号の開始時間の後、又は最後のシンボルの後のＡ番目のシンボルよりも早くなく、前記Ａが非負の整数であることを含む
ことを特徴とする無線通信方法。
【請求項１２】
前記制約条件は、さらに、
前記複数の上りチャネル／信号のうちの最も早い上りチャネル／信号の開始時間が前記目標チャネル／信号の最後のシンボルの後のＢ番目のシンボルよりも早くなく、前記Ｂが非負の整数であることを含む
ことを特徴とする請求項１１に記載の無線通信方法。
【請求項１３】
前記複数の上りチャネル／信号の各上りチャネル／信号は、周期上りチャネル／信号である
ことを特徴とする請求項１１又は１２に記載の無線通信方法。
【請求項１４】
前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための少なくとも１つの物理上り制御チャネルＰＵＣＣＨを含み、
前記目標チャネル／信号は、前記少なくとも１つのＰＵＣＣＨに対応するＳＰＳ−ＰＤＳＣＨのうちの最後のＳＰＳ−ＰＤＳＣＨである
ことを特徴とする請求項１１〜１３のいずれか１項に記載の無線通信方法。
【請求項１５】
前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための物理上り制御チャネルＰＵＣＣＨを含まれず、
前記目標チャネル／信号は、前記目標時間ユニットの前に受信した前記複数の上りチャネル／信号のうちの最後の上りチャネル／信号である
ことを特徴とする請求項１１〜１３のいずれか１項に記載の無線通信方法。
【請求項１６】
前記方法は、さらに、
前記ネットワークデバイスが前記複数の上りチャネル／信号が前記制約条件を満たさないと決定する場合、前記少なくとも１つのＰＵＣＣＨのうちの１つのＰＵＣＣＨを受信することを含む
ことを特徴とする請求項１４に記載の無線通信方法。
【請求項１７】
前記方法は、さらに、
前記ネットワークデバイスが前記複数の上りチャネル／信号が前記制約条件を満たさないと決定する場合、前記目標時間ユニットで伝送される複数の上りチャネル／信号がエラー状態にあると決定すること、又は、
前記ネットワークデバイスが前記複数の上りチャネル／信号が前記制約条件を満たさないと決定する場合、前記複数の上りチャネル／信号のうちの最も早い上りチャネル／信号を受信することを含む
ことを特徴とする請求項１４又は１５に記載の無線通信方法。
【請求項１８】
前記上りチャネル／信号は、
準持続スケジューリング物理上り共有チャネルＳＰＳ−ＰＵＳＣＨ、
準持続スケジューリング物理下り共有チャネルＳＰＳ−ＰＤＳＣＨに対応する確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、
準持続的チャネル状態情報ＳＰＳ−ＣＳＩを搬送する物理上り制御チャネルＰＵＣＣＨ、
準持続的チャネル状態情報ＳＰＳ−ＣＳＩを搬送する物理上り共有チャネルＰＵＳＣＨ、及び
スケジューリング要求ＳＲを搬送する物理上り制御チャネルＰＵＣＣＨを含む
ことを特徴とする請求項１１〜１７のいずれか１項に記載の無線通信方法。
【請求項１９】
前記Ａ＝Ｎ２＋１であり、Ｎ２が物理上り共有チャネルＰＵＳＣＨの準備時間である
ことを特徴とする請求項１１〜１８のいずれか１項に記載の無線通信方法。
【請求項２０】
前記Ｂ＝Ｎ１＋１＋ｄ１，２、Ｎ１が物理下り共有チャネルＰＤＳＣＨの処理時間であり、ｄ１，２の値がＰＤＳＣＨマッピング方式に関連する
ことを特徴とする請求項１２〜１９のいずれか１項に記載の無線通信方法。
【請求項２１】
決定ユニットと、通信ユニットと、を備える通信デバイスであって、
前記決定ユニットは、目標時間ユニットで伝送される複数の上りチャネル／信号を決定するように構成され、前記複数の上りチャネル／信号が時間領域において少なくとも一部が重複され、
前記通信ユニットは、前記複数の上りチャネル／信号が制約条件を満たしている場合、前記複数の上りチャネル／信号に搬送される情報を前記目標時間ユニット内の１つのチャネル／信号に多重して伝送するように構成され、
前記制約条件は、
前記複数の上りチャネル／信号のうちの最も早い上りチャネル／信号の１番目のシンボルが、目標チャネル／信号の開始時間の後、又は最後のシンボルの後のＡ番目のシンボルよりも早くなく、前記Ａが非負の整数であることを含む
ことを特徴とする通信デバイス。
【請求項２２】
前記制約条件は、さらに、
前記複数の上りチャネル／信号のうちの最も早い上りチャネル／信号の開始時間が前記目標チャネル／信号の最後のシンボルの後のＢ番目のシンボルよりも早くなく、前記Ｂが非負の整数であることを含む
ことを特徴とする請求項２１に記載の通信デバイス。
【請求項２３】
前記複数の上りチャネル／信号の各上りチャネル／信号は、周期上りチャネル／信号である
ことを特徴とする請求項２１又は２２に記載の通信デバイス。
【請求項２４】
前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための少なくとも１つの物理上り制御チャネルＰＵＣＣＨを含み、
前記目標チャネル／信号は、前記少なくとも１つのＰＵＣＣＨに対応するＳＰＳ−ＰＤＳＣＨのうちの最後のＳＰＳ−ＰＤＳＣＨである
ことを特徴とする請求項２１〜２３のいずれか１項に記載の通信デバイス。
【請求項２５】
前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための物理上り制御チャネルＰＵＣＣＨを含まれず、
前記目標チャネル／信号は、前記目標時間ユニットの前に送信した、前記複数の上りチャネル／信号のうちの最後の上りチャネル／信号である
ことを特徴とする請求項２１〜２３のいずれか１項に記載の通信デバイス。
【請求項２６】
前記決定ユニットは、前記複数の上りチャネル／信号が前記制約条件を満たさないと決定する場合、前記少なくとも１つのＰＵＣＣＨのうちの１つのＰＵＣＣＨを伝送するように構成される
ことを特徴とする請求項２４に記載の通信デバイス。
【請求項２７】
前記決定ユニットは、前記複数の上りチャネル／信号が前記制約条件を満たさないと決定する場合、前記目標時間ユニットで伝送される複数の上りチャネル／信号がエラー状態にあると決定し、又は、
前記決定ユニットは、前記複数の上りチャネル／信号が前記制約条件を満たさないと決定する場合、前記複数の上りチャネル／信号のうちの最も早い上りチャネル／信号を伝送するように構成される
ことを特徴とする請求項２４又は２５に記載の通信デバイス。
【請求項２８】
前記上りチャネル／信号は、
準持続スケジューリング物理上り共有チャネルＳＰＳ−ＰＵＳＣＨ、
準持続スケジューリング物理下り共有チャネルＳＰＳ−ＰＤＳＣＨに対応する確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、
準持続的チャネル状態情報ＳＰＳ−ＣＳＩを搬送する物理上り制御チャネルＰＵＣＣＨ、
準持続的チャネル状態情報ＳＰＳ−ＣＳＩを搬送する物理上り共有チャネルＰＵＳＣＨ、及び
スケジューリング要求ＳＲを搬送する物理上り制御チャネルＰＵＣＣＨを含む
ことを特徴とする請求項２１〜２７のいずれか１項に記載の通信デバイス。
【請求項２９】
前記Ａ＝Ｎ２＋１であり、Ｎ２が物理上り共有チャネルＰＵＳＣＨの準備時間である
ことを特徴とする請求項２１〜２８のいずれか１項に記載の通信デバイス。
【請求項３０】
前記Ｂ＝Ｎ１＋１＋ｄ１，２であり、Ｎ１が物理下り共有チャネルＰＤＳＣＨの処理時間であり、ｄ１，２の値がＰＤＳＣＨマッピング方式に関連する
ことを特徴とする請求項２２〜２９のいずれか１項に記載の通信デバイス。
【請求項３１】
決定ユニットと、通信ユニットと、を備える通信デバイスであって、
前記決定ユニットは、目標時間ユニットで伝送される複数の上りチャネル／信号を決定するように構成され、前記複数の上りチャネル／信号が時間領域において少なくとも一部が重複され、
前記通信ユニットは、前記複数の上りチャネル／信号が制約条件を満たしている場合、前記目標時間ユニット内の１つのチャネル／信号を受信するように構成され、前記複数の上りチャネル／信号に搬送される情報は、前記１つのチャネル／信号に多重して伝送され、
前記制約条件は、
前記複数の上りチャネル／信号のうちの最も早い上りチャネル／信号の１番目のシンボルが、目標チャネル／信号の開始時間の後、又は最後のシンボルの後のＡ番目のシンボルよりも早くなく、前記Ａが非負の整数であることを含む
ことを特徴とする通信デバイス。
【請求項３２】
前記制約条件は、さらに、
前記複数の上りチャネル／信号のうちの最も早い上りチャネル／信号の開始時間が前記目標チャネル／信号の最後のシンボルの後のＢ番目のシンボルよりも早くなく、前記Ｂが非負の整数であることを含む
ことを特徴とする請求項３１に記載の通信デバイス。
【請求項３３】
前記複数の上りチャネル／信号の各上りチャネル／信号は、周期上りチャネル／信号である
ことを特徴とする請求項３１又は３２に記載の通信デバイス。
【請求項３４】
前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための少なくとも１つの物理上り制御チャネルＰＵＣＣＨを含み、
前記目標チャネル／信号は、前記少なくとも１つのＰＵＣＣＨに対応するＳＰＳ−ＰＤＳＣＨのうちの最後のＳＰＳ−ＰＤＳＣＨである
ことを特徴とする請求項３１〜３３のいずれか１項に記載の通信デバイス。
【請求項３５】
前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための物理上り制御チャネルＰＵＣＣＨを含まれず、
前記目標チャネル／信号は、前記目標時間ユニットの前に受信した前記複数の上りチャネル／信号のうちの最後の上りチャネル／信号である
ことを特徴とする請求項３１〜３３のいずれか１項に記載の通信デバイス。
【請求項３６】
前記決定ユニットは、前記複数の上りチャネル／信号が前記制約条件を満たさないと決定する場合、前記少なくとも１つのＰＵＣＣＨの１つのＰＵＣＣＨを受信するように構成される
ことを特徴とする請求項３４に記載の通信デバイス。
【請求項３７】
前記決定ユニットは、前記複数の上りチャネル／信号が前記制約条件を満たさないと決定する場合、前記目標時間ユニットで伝送される複数の上りチャネル／信号がエラー状態にあると決定し、又は、
前記決定ユニットは、前記複数の上りチャネル／信号が前記制約条件を満たさないと決定する場合、前記複数の上りチャネル／信号のうちの最も早い上りチャネル／信号を受信するように構成される
ことを特徴とする請求項３４又は３５のいずれか１項に記載の通信デバイス。
【請求項３８】
前記上りチャネル／信号は、
準持続スケジューリング物理上り共有チャネルＳＰＳ−ＰＵＳＣＨ、
準持続スケジューリング物理下り共有チャネルＳＰＳ−ＰＤＳＣＨに対応する確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、
準持続的チャネル状態情報ＳＰＳ−ＣＳＩを搬送する物理上り制御チャネルＰＵＣＣＨ、
準持続的チャネル状態情報ＳＰＳ−ＣＳＩを搬送する物理上り共有チャネルＰＵＳＣＨ、及び
スケジューリング要求ＳＲを搬送する物理上り制御チャネルＰＵＣＣＨを含む
ことを特徴とする請求項３１〜３７のいずれか１項に記載の通信デバイス。
【請求項３９】
前記Ａ＝Ｎ２＋１であり、Ｎ２が物理上り共有チャネルＰＵＳＣＨの準備時間である
ことを特徴とする請求項３１〜３８のいずれか１項に記載の通信デバイス。
【請求項４０】
前記Ｂ＝Ｎ１＋１＋ｄ１，２であり、Ｎ１が物理下り共有チャネルＰＤＳＣＨの処理時間であり、ｄ１，２の値がＰＤＳＣＨマッピング方式に関連する
ことを特徴とする請求項３２〜３９のいずれか１項に記載の通信デバイス。
【請求項４１】
請求項１〜２０のいずれか１項に記載の方法を実行するための命令を含むコンピュータプログラムをメモリから呼び出して実行するプロセッサを備える
ことを特徴とする通信デバイス。
【請求項４２】
請求項１〜２０のいずれか１項に記載の方法を実行するための命令を含むコンピュータプログラムをメモリから呼び出して実行するプロセッサを備える
ことを特徴とするチップ。
【請求項４３】
請求項１から２０のいずれか１項に記載の方法を実行するための命令を含むコンピュータプログラムを記憶する
ことを特徴とする記憶媒体。
【請求項４４】
端末デバイスと、ネットワークデバイスと、を備える通信システムであって、
前記端末デバイスは、
目標時間ユニットで伝送される複数の上りチャネル／信号を決定し、
前記複数の上りチャネル／信号が制約条件を満たしている場合、前記複数の上りチャネル／信号に搬送される情報を前記目標時間ユニット内の１つのチャネル／信号に多重して伝送するように構成され、前記複数の上りチャネル／信号が時間領域において少なくとも一部が重複され、
前記ネットワークデバイスは、
前記複数の上りチャネル／信号を決定し、
前記複数の上りチャネル／信号が制約条件を満たしている場合、前記目標時間ユニット内の１つのチャネル／信号を受信するように構成され、
前記制約条件は、
前記複数の上りチャネル／信号のうちの最も早い上りチャネル／信号の１番目のシンボルが、目標チャネル／信号の開始時間の後、又は最後のシンボルの後のＡ番目のシンボルよりも早くなく、前記Ａが非負の整数であることを含む
ことを特徴とする通信システム。
【請求項４５】
端末デバイスが少なくとも１つの下り制御情報ＤＣＩを受信することと、
前記端末デバイスが目標時間ユニットで伝送される複数の上りチャネル／信号を決定し、前記複数の上りチャネル／信号が時間領域において少なくとも一部が重複され、前記少なくとも１つのＤＣＩが前記複数の上りチャネル／信号のうちの少なくとも１つの上り信号／信号を示すことと、
前記複数の上りチャネル／信号が制約条件を満たしている場合、前記端末デバイスが前記複数の上りチャネル／信号に搬送される情報を前記目標時間ユニット内の１つのチャネル／信号に多重して伝送することとを含み、
前記制約条件は、
前記複数の上りチャネル／信号のうちの最も早い上りチャネル／信号の１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含む
ことを特徴とする無線通信方法。
【請求項４６】
前記複数の上りチャネル／信号は、目標物理下り共有チャネルＰＤＳＣＨに対応する確認／非確認ＡＣＫ／ＮＡＣＫ情報を搬送する少なくとも１つの物理上り制御チャネルＰＵＣＣＨを含み、
前記制約条件は、さらに、
前記複数の上りチャネル／信号のうちの最も早い上りチャネル／信号の１番目のシンボルが前記少なくとも１つの目標ＰＤＳＣＨの最後のシンボルの後のＢ番目のシンボルよりも早くなく、前記Ｂが非負の整数である
ことを特徴とする請求項４５に記載の無線通信方法。
【請求項４７】
前記少なくとも１つのＤＣＩは、
物理上り共有チャネルＰＵＳＣＨをスケジューリングするためのＤＣＩを含み、前記複数の上りチャネル／信号が前記ＰＵＳＣＨを含み、及び／又は、
下り準持続ＤＬ  ＳＰＳリソース解放を示すためのＤＣＩを含み、前記複数の上りチャネル／信号が、前記ＤＬ  ＳＰＳリソース解放を示すＤＣＩに対応するＡＣＫ／ＮＡＣＫ情報を搬送するＰＵＣＣＨを含み、及び／又は、
物理下り共有チャネルＰＤＳＣＨをスケジューリングするためのＤＣＩを含み、前記複数の上りチャネル／信号が、前記ＰＤＳＣＨに対応するＡＣＫ／ＮＡＣＫ情報を搬送するＰＵＣＣＨを含む
ことを特徴とする請求項４５又は４６に記載の無線通信方法。
【請求項４８】
前記上りチャネル／信号は、
動的スケジューリング物理上り共有チャネルＰＵＳＣＨ、
準持続スケジューリング物理上り共有チャネルＳＰＳ−ＰＵＳＣＨ、
確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、
準持続的チャネル状態情報ＳＰＳ−ＣＳＩを搬送する物理上り制御チャネルＰＵＣＣＨ、
準持続的チャネル状態情報ＳＰＳ−ＣＳＩを搬送する物理上り共有チャネルＰＵＳＣＨ、及び
スケジューリング要求ＳＲを搬送する物理上り制御チャネルＰＵＣＣＨを含む
ことを特徴とする請求項４５〜４７のいずれか１項に記載の無線通信方法。
【請求項４９】
前記Ａ＝Ｎ２＋１であり、Ｎ２が物理上り共有チャネルＰＵＳＣＨのスケジューリングの準備時間である
ことを特徴とする請求項４５〜４８のいずれか１項に記載の無線通信方法。
【請求項５０】
前記Ｂ＝Ｎ１＋１＋ｄ１，２であり、Ｎ１がＰＤＳＣＨ処理時間であり、ｄ１,２の値が物理下り共有チャネルＰＤＳＣＨマッピング方式に関連する
ことを特徴とする請求項４６〜４９のいずれか１項に記載の無線通信方法。
【請求項５１】
ネットワークデバイスが端末デバイスに少なくとも１つの下り制御情報ＤＣＩを送信することと、
前記ネットワークデバイスが目標時間ユニットで伝送される複数の上りチャネル／信号を決定し、前記複数の上りチャネル／信号が時間領域において少なくとも一部が重複され、前記少なくとも１つのＤＣＩが前記複数の上りチャネル／信号のうちの少なくとも１つの上り信号／信号を示すことと、
前記複数の上りチャネル／信号が制約条件を満たしている場合、前記ネットワークデバイスが前記目標時間ユニット内の１つのチャネル／信号を受信し、前記複数の上りチャネル／信号に搬送される情報が前記１つのチャネル／信号に多重して伝送することとを含み、
前記制約条件は、
前記複数の上りチャネル／信号のうちの最も早い上りチャネル／信号の１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含
ことを特徴とする無線通信方法。
【請求項５２】
前記複数の上りチャネル／信号は、目標物理下り共有チャネルＰＤＳＣＨに対応する確認／非確認ＡＣＫ／ＮＡＣＫ情報を搬送する少なくとも１つの物理上り制御チャネルＰＵＣＣＨを含み、
前記制約条件は、さらに、
前記複数の上りチャネル／信号のうちの最も早い上りチャネル／信号の１番目のシンボルが前記少なくとも１つの目標ＰＤＳＣＨの最後のシンボルの後のＢ番目のシンボルよりも早くなく、前記Ｂが非負の整数である
ことを特徴とする請求項５１に記載の無線通信方法。
【請求項５３】
前記少なくとも１つのＤＣＩは、
物理上り共有チャネルＰＵＳＣＨをスケジューリングするためのＤＣＩを含み、前記複数の上りチャネル／信号が前記ＰＵＳＣＨを含み、及び／又は、
下り準持続ＤＬ  ＳＰＳリソース解放を示すためのＤＣＩを含み、前記複数の上りチャネル／信号が、前記ＤＬ  ＳＰＳリソース解放を示すＤＣＩに対応するＡＣＫ／ＮＡＣＫ情報を搬送するＰＵＣＣＨを含み、及び／又は、
物理下り共有チャネルＰＤＳＣＨをスケジューリングするためのＤＣＩを含み、前記複数の上りチャネル／信号が、前記ＰＤＳＣＨに対応するＡＣＫ／ＮＡＣＫ情報を搬送するＰＵＣＣＨを含む
ことを特徴とする請求項５１又は５２に記載の無線通信方法。
【請求項５４】
前記上りチャネル／信号は、
動的スケジューリング物理上り共有チャネルＰＵＳＣＨ、
準持続スケジューリング物理上り共有チャネルＳＰＳ−ＰＵＳＣＨ、
確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、
準持続的チャネル状態情報ＳＰＳ−ＣＳＩを搬送する物理上り制御チャネルＰＵＣＣＨ、
準持続的チャネル状態情報ＳＰＳ−ＣＳＩを搬送する物理上り共有チャネルＰＵＳＣＨ、及び
スケジューリング要求ＳＲを搬送する物理上り制御チャネルＰＵＣＣＨを含む
ことを特徴とする請求項５１〜５３のいずれか１項に記載の無線通信方法。
【請求項５５】
前記Ａ＝Ｎ２＋１であり、Ｎ２が物理上り共有チャネルＰＵＳＣＨのスケジューリングの準備時間である
ことを特徴とする請求項５１〜５４のいずれか１項に記載の無線通信方法。
【請求項５６】
前記Ｂ＝Ｎ１＋１＋ｄ１，２であり、Ｎ１がＰＤＳＣＨ処理時間であり、ｄ１,２の値が物理下り共有チャネルＰＤＳＣＨマッピング方式に関連する
ことを特徴とする請求項５２〜５５のいずれか１項に記載の無線通信方法。
【請求項５７】
通信ユニットと、決定ユニットと、を備える通信デバイスであって、
前記通信ユニットは、少なくとも１つの下り制御情報ＤＣＩを受信するように構成され、
前記決定ユニットは、目標時間ユニットで伝送される複数の上りチャネル／信号を決定するように構成され、前記複数の上りチャネル／信号が時間領域において少なくとも一部が重複され、前記少なくとも１つのＤＣＩが前記複数の上りチャネル／信号のうちの少なくとも１つの上り信号／信号を示し、
前記複数の上りチャネル／信号が制約条件を満たしている場合、前記通信ユニットは、さらに、前記複数の上りチャネル／信号に搬送する情報を前記目標時間ユニット内の内１つのチャネル／信号に多重して伝送するように構成され、
前記制約条件は、
前記複数の上りチャネル／信号のうちの最も早い上りチャネル／信号の１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含む
ことを特徴とする通信デバイス。
【請求項５８】
前記複数の上りチャネル／信号は、目標物理下り共有チャネルＰＤＳＣＨに対応する確認／非確認ＡＣＫ／ＮＡＣＫ情報を搬送する少なくとも１つの物理上り制御チャネルＰＵＣＣＨを含み、
前記制約条件は、さらに、
前記複数の上りチャネル／信号のうちの最も早い上りチャネル／信号の１番目のシンボルが前記少なくとも１つの目標ＰＤＳＣＨの最後のシンボルの後のＢ番目のシンボルよりも早くなく、前記Ｂが非負の整数である
ことを特徴とする請求項５７に記載の通信デバイス。
【請求項５９】
前記少なくとも１つのＤＣＩは、
物理上り共有チャネルＰＵＳＣＨをスケジューリングするためのＤＣＩを含み、前記複数の上りチャネル／信号が前記ＰＵＳＣＨを含み、及び／又は、
下り準持続ＤＬ  ＳＰＳリソース解放を示すためのＤＣＩを含み、前記複数の上りチャネル／信号が、前記ＤＬ  ＳＰＳリソース解放を示すＤＣＩに対応するＡＣＫ／ＮＡＣＫ情報を搬送するＰＵＣＣＨを含み、及び／又は、
物理下り共有チャネルＰＤＳＣＨをスケジューリングするためのＤＣＩを含み、前記複数の上りチャネル／信号が、前記ＰＤＳＣＨに対応するＡＣＫ／ＮＡＣＫ情報を搬送するＰＵＣＣＨを含む
ことを特徴とする請求項５７又は５８に記載の通信デバイス。
【請求項６０】
前記上りチャネル／信号は、
動的スケジューリング物理上り共有チャネルＰＵＳＣＨ、
準持続スケジューリング物理上り共有チャネルＳＰＳ−ＰＵＳＣＨ、
確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、
準持続的チャネル状態情報ＳＰＳ−ＣＳＩを搬送する物理上り制御チャネルＰＵＣＣＨ、
準持続的チャネル状態情報ＳＰＳ−ＣＳＩを搬送する物理上り共有チャネルＰＵＳＣＨ、及び
スケジューリング要求ＳＲを搬送する物理上り制御チャネルＰＵＣＣＨを含む
ことを特徴とする請求項５７〜５９のいずれか１項に記載の通信デバイス。
【請求項６１】
前記Ａ＝Ｎ２＋１であり、Ｎ２が物理上り共有チャネルＰＵＳＣＨのスケジューリングの準備時間である
ことを特徴とする請求項５７〜６０のいずれか１項に記載の通信デバイス。
【請求項６２】
前記Ｂ＝Ｎ１＋１＋ｄ１，２であり、Ｎ１がＰＤＳＣＨ処理時間であり、ｄ１,２の値が物理下り共有チャネルＰＤＳＣＨマッピング方式に関連する
ことを特徴とする請求項５８〜６１のいずれか１項に記載の通信デバイス。
【請求項６３】
通信ユニットと、決定ユニットと、を備える通信デバイスであって、
前記通信ユニットは、端末デバイスに少なくとも１つの下り制御情報ＤＣＩを送信するように構成され、
前記決定ユニットは、目標時間ユニットで伝送される複数の上りチャネル／信号を決定するように構成され、前記複数の上りチャネル／信号が時間領域において少なくとも一部が重複され、前記少なくとも１つのＤＣＩが前記複数の上りチャネル／信号のうちの少なくとも１つの上り信号／信号を示し、
前記複数の上りチャネル／信号が制約条件を満たす場合、前記通信ユニットは、さらに、前記目標時間ユニット内の１つのチャネル／信号を受信するように構成され、前記複数の上りチャネル／信号に搬送される情報は、前記１つのチャネル／信号に多重して伝送され、
前記制約条件は、
前記複数の上りチャネル／信号のうちの最も早い上りチャネル／信号の１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含む
ことを特徴とする通信デバイス。
【請求項６４】
前記複数の上りチャネル／信号は、目標物理下り共有チャネルＰＤＳＣＨに対応する確認／非確認ＡＣＫ／ＮＡＣＫ情報を搬送する少なくとも１つの物理上り制御チャネルＰＵＣＣＨを含み、
前記制約条件は、さらに、
前記複数の上りチャネル／信号のうちの最も早い上りチャネル／信号の１番目のシンボルが前記少なくとも１つの目標ＰＤＳＣＨの最後のシンボルの後のＢ番目のシンボルよりも早くなく、前記Ｂが非負の整数である
ことを特徴とする請求項６３に記載の通信デバイス。
【請求項６５】
前記少なくとも１つのＤＣＩは、
物理上り共有チャネルＰＵＳＣＨをスケジューリングするためのＤＣＩを含み、前記複数の上りチャネル／信号が前記ＰＵＳＣＨを含み、及び／又は、
下り準持続ＤＬ  ＳＰＳリソース解放を示すためのＤＣＩを含み、前記複数の上りチャネル／信号が、前記ＤＬ  ＳＰＳリソース解放を示すＤＣＩに対応するＡＣＫ／ＮＡＣＫ情報を搬送するＰＵＣＣＨを含み、及び／又は、
物理下り共有チャネルＰＤＳＣＨをスケジューリングするためのＤＣＩを含み、前記複数の上りチャネル／信号が、前記ＰＤＳＣＨに対応するＡＣＫ／ＮＡＣＫ情報を搬送するＰＵＣＣＨを含む
ことを特徴とする請求項６３又は６４に記載の通信デバイス。
【請求項６６】
前記上りチャネル／信号は、
動的スケジューリング物理上り共有チャネルＰＵＳＣＨ、
準持続スケジューリング物理上り共有チャネルＳＰＳ−ＰＵＳＣＨ、
確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、
準持続的チャネル状態情報ＳＰＳ−ＣＳＩを搬送する物理上り制御チャネルＰＵＣＣＨ、
準持続的チャネル状態情報ＳＰＳ−ＣＳＩを搬送する物理上り共有チャネルＰＵＳＣＨ、及び
スケジューリング要求ＳＲを搬送する物理上り制御チャネルＰＵＣＣＨを含む
ことを特徴とする請求項６３〜６５のいずれか１項に記載の通信デバイス。
【請求項６７】
前記Ａ＝Ｎ２＋１であり、Ｎ２が物理上り共有チャネルＰＵＳＣＨのスケジューリングの準備時間である
ことを特徴とする請求項６３〜６６のいずれか１項に記載の通信デバイス。
【請求項６８】
前記Ｂ＝Ｎ１＋１＋ｄ１，２であり、Ｎ１がＰＤＳＣＨ処理時間であり、ｄ１,２の値が物理下り共有チャネルＰＤＳＣＨマッピング方式に関連する
ことを特徴とする請求項６４〜６７のいずれか１項に記載の通信デバイス。
【請求項６９】
請求項４５〜５６のいずれか１項に記載の方法を実行するための命令を含むコンピュータプログラムをメモリから呼び出して実行するプロセッサを備える
ことを特徴とする通信デバイス。
【請求項７０】
請求項４５〜５６のいずれか１項に記載の方法を実行するための命令を含むコンピュータプログラムをメモリから呼び出して実行するプロセッサを備える
ことを特徴とするチップ。
【請求項７１】
請求項１から２０のいずれか１項に記載の方法を実行するための命令を含むコンピュータプログラムを記憶する
ことを特徴とする記憶媒体。
【請求項７２】
端末デバイスとネットワークデバイスと、を備える通信システムであって、
前記端末デバイスは、
少なくとも１つの下り制御情報ＤＣＩを受信し、
目標時間ユニットで伝送される複数の上りチャネル／信号を決定し、前記複数の上りチャネル／信号が時間領域において少なくとも一部が重複され、前記少なくとも１つのＤＣＩが前記複数の上りチャネル／信号のうちの少なくとも１つの上り信号／信号を示し、
前記複数の上りチャネル／信号が制約条件を満たす場合、前記複数の上りチャネル／信号に搬送される情報を前記目標時間ユニット内の１つのチャネル／信号に多重して伝送するように構成され、
前記ネットワークデバイスは、
端末デバイスに前記少なくとも１つのＤＣＩを送信し、
前記複数の上りチャネル／信号を決定し、
前記複数の上りチャネル／信号が前記制約条件を満たす場合、前記目標時間ユニット内の１つのチャネル／信号を受信するように構成され、
前記制約条件は、
前記複数の上りチャネル／信号のうちの最も早い上りチャネル／信号の１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含む
ことを特徴とする通信システム。
【発明の詳細な説明】
【技術分野】
【０００１】
本発明の実施例は、通信分野に関し、具体的に、無線通信方法、通信デバイス、チップ及びシステムに関する。
【背景技術】
【０００２】
現在、第５世代移動通信技術( ５Ｇ−Ｇｅｎｅｒａｔｉｏｎ、５Ｇ )の新しいラジオ( Ｎｅｗ Ｒａｄｉｏ、ＮＲ )方式では、１つのキャリアで２つの上りチャネルを同時に送信することはサポートされておらず、同一時間ユニットで複数のチャネルが衝突する場合、端末は、実際に伝送するチャネルを決定して伝送情報の一部又は全部を搬送する必要がある。したがって、１つの端末デバイス( Ｕｓｅｒ Ｅｑｕｉｐｍｅｎｔ、ＵＥ )に対して、伝送する複数のチャネルが時間領域で重複する場合、端末装デバイスは、実際に伝送するチャネルをどのように決定するかが、緊急に解決すべき課題である。
【発明の概要】
【０００３】
本発明は、端末デバイスが時間領域において少なくとも一部が重複する伝送される複数の上りチャネル/信号が存在する場合に、伝送される情報を効率的に伝送することができる無線通信方法、通信デバイス、チップ及びシステムを提供する。
【０００４】
第１の態様は、無線通信方法を提供し、
端末デバイスが目標時間ユニットで伝送される複数の上りチャネル／信号を決定し、前記複数の上りチャネル／信号が時間領域において少なくとも一部が重複されることと、
前記複数の上りチャネル／信号が制約条件を満たしている場合、前記端末デバイスが前記複数の上りチャネル／信号に搬送される情報を前記目標時間ユニット内の１つのチャネル／信号に多重して伝送することとを含み、
前記制約条件は、前記複数の上りチャネル／信号のうちの最も早い上りチャネル／信号の１番目のシンボルが、目標チャネル／信号の開始時間の後、又は最後のシンボルの後のＡ番目のシンボルよりも早くなく、前記Ａが非負の整数であることを含む。
【０００５】
本発明の実施例では、目標時間ユニット内で伝送される複数の上りチャネル/信号が時間領域上で少なくとも部分的に重複される場合に、端末デバイスが、複数の上りチャネル/信号に搬送する情報を目標時間ユニット内の１つのチャネル/信号に多重して伝送するか否かを制約条件により決定できるようにすることで、伝送される情報を効率的に伝送することができる。
【０００６】
いくつかの実施可能な形態において、前記制約条件は、さらに、前記複数の上りチャネル／信号のうちの最も早い上りチャネル／信号の開始時間が前記目標チャネル／信号の最後のシンボルの後のＢ番目のシンボルよりも早くなく、前記Ｂが非負の整数であることを含む。
【０００７】
いくつかの実施可能な形態において、前記複数の上りチャネル／信号の各上りチャネル／信号は、周期上りチャネル／信号である。
【０００８】
いくつかの実施可能な形態において、前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための少なくとも１つの物理上り制御チャネルＰＵＣＣＨを含み、前記目標チャネル／信号は、前記少なくとも１つのＰＵＣＣＨに対応するＳＰＳ−ＰＤＳＣＨのうちの最後のＳＰＳ−ＰＤＳＣＨである。
【０００９】
いくつかの実施可能な形態において、前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための物理上り制御チャネルＰＵＣＣＨを含まれず、前記目標チャネル／信号は、前記目標時間ユニットの前に送信した、前記複数の上りチャネル／信号のうちの最後の上りチャネル／信号である。
【００１０】
いくつかの実施可能な形態において、前記方法は、さらに、前記端末デバイスが前記複数の上りチャネル／信号が前記制約条件を満たさないと決定する場合、前記少なくとも１つのＰＵＣＣＨのうちの１つのＰＵＣＣＨを伝送することを含む。
【００１１】
いくつかの実施可能な形態において、前記方法は、さらに、前記端末デバイスが前記複数の上りチャネル／信号が前記制約条件を満たさないと決定する場合、前記目標時間ユニットで伝送される複数の上りチャネル／信号がエラー状態にあると決定すること、又は、前記端末デバイスが前記複数の上りチャネル／信号が前記制約条件を満たさないと決定する場合、前記複数の上りチャネル／信号のうちの最も早い上りチャネル／信号を伝送することを含む。
【００１２】
いくつかの実施可能な形態において、前記上りチャネル／信号は、準持続スケジューリング物理上り共有チャネルＳＰＳ−ＰＵＳＣＨ、準持続スケジューリング物理下り共有チャネルＳＰＳ−ＰＤＳＣＨに対応する確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、準持続的チャネル状態情報ＳＰＳ−ＣＳＩを搬送する物理上り制御チャネルＰＵＣＣＨ、準持続的チャネル状態情報ＳＰＳ−ＣＳＩを搬送する物理上り共有チャネルＰＵＳＣＨ、及びスケジューリング要求ＳＲを搬送する物理上り制御チャネルＰＵＣＣＨを含む。
【００１３】
いくつかの実施可能な形態において、前記Ａ＝Ｎ２＋１であり、Ｎ２が物理上り共有チャネルＰＵＳＣＨの準備時間である。
【００１４】
いくつかの実施可能な形態において、前記Ｂ＝Ｎ１＋１＋ｄ１，２であり、Ｎ１が物理下り共有チャネルＰＤＳＣＨの処理時間であり、ｄ１，２の値がＰＤＳＣＨマッピング方式に関連する。
【００１５】
第２の態様は、無線通信方法を提供し、
ネットワークデバイスが目標時間ユニットで伝送される複数の上りチャネル／信号を決定し、前記複数の上りチャネル／信号が時間領域において少なくとも一部が重複されることと、
前記複数の上りチャネル／信号が制約条件を満たしている場合、前記ネットワークデバイスが前記目標時間ユニット内の１つのチャネル／信号を受信し、前記複数の上りチャネル／信号に搬送される情報が前記１つのチャネル／信号に多重して伝送することとを含み、
前記制約条件は、前記複数の上りチャネル／信号のうちの最も早い上りチャネル／信号の１番目のシンボルが、目標チャネル／信号の開始時間の後、又は最後のシンボルの後のＡ番目のシンボルよりも早くなく、前記Ａが非負の整数であることを含む。
【００１６】
いくつかの実施可能な形態において、前記制約条件は、さらに、
前記複数の上りチャネル／信号のうちの最も早い上りチャネル／信号の開始時間が前記目標チャネル／信号の最後のシンボルの後のＢ番目のシンボルよりも早くなく、前記Ｂが非負の整数であることを含む。
【００１７】
いくつかの実施可能な形態において、前記複数の上りチャネル／信号の各上りチャネル／信号は、周期上りチャネル／信号である。
【００１８】
いくつかの実施可能な形態において、前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための少なくとも１つの物理上り制御チャネルＰＵＣＣＨを含み、前記目標チャネル／信号は、前記少なくとも１つのＰＵＣＣＨに対応するＳＰＳ−ＰＤＳＣＨのうちの最後のＳＰＳ−ＰＤＳＣＨである。
【００１９】
いくつかの実施可能な形態において、前記複数の上りチャネル／信号は、準持続スケジューリング物理下り共有チャネルＳＰＳ−ＰＤＳＣＨに対応する確認／非確認ＡＣＫ／ＮＡＣＫ情報を搬送するための物理上り制御チャネルＰＵＣＣＨを含まれず、前記目標チャネル／信号は、前記目標時間ユニットの前に受信した前記複数の上りチャネル／信号のうちの最後の上りチャネル／信号である。
【００２０】
いくつかの実施可能な形態において、前記方法は、さらに、
前記ネットワークデバイスが前記複数の上りチャネル／信号が前記制約条件を満たさないと決定する場合、前記少なくとも１つのＰＵＣＣＨのうちの１つのＰＵＣＣＨを受信することを含む。
【００２１】
いくつかの実施可能な形態において、前記方法は、さらに、
前記ネットワークデバイスが前記複数の上りチャネル／信号が前記制約条件を満たさないと決定する場合、前記目標時間ユニットで伝送される複数の上りチャネル／信号がエラー状態にあると決定すること、又は、前記ネットワークデバイスが前記複数の上りチャネル／信号が前記制約条件を満たさないと決定する場合、前記複数の上りチャネル／信号のうちの最も早い上りチャネル／信号を受信することを含む。
【００２２】
いくつかの実施可能な形態において、前記上りチャネル／信号は、
準持続スケジューリング物理上り共有チャネルＳＰＳ−ＰＵＳＣＨ、準持続スケジューリング物理下り共有チャネルＳＰＳ−ＰＤＳＣＨに対応する確認／非確認ＡＣＫ／ＮＡＣＫ情報を搬送する物理上り制御チャネルＰＵＣＣＨ、周期チャネル状態情報Ｐ−ＣＳＩを搬送する物理上り制御チャネルＰＵＣＣＨ、準持続的チャネル状態情報ＳＰＳ−ＣＳＩを搬送する物理上り制御チャネルＰＵＣＣＨ、準持続的チャネル状態情報ＳＰＳ−ＣＳＩを搬送する物理上り共有チャネルＰＵＳＣＨ、及びスケジューリング要求ＳＲを搬送する物理上り制御チャネルＰＵＣＣＨを含む。
【００２３】
いくつかの実施可能な形態において、前記Ａ＝Ｎ２＋１であり、Ｎ２が物理上り共有チャネルＰＵＳＣＨの準備時間である。
【００２４】
いくつかの実施可能な形態において、前記Ｂ＝Ｎ１＋１＋ｄ１，２であり、Ｎ１が物理下り共有チャネルＰＤＳＣＨの処理時間であり、ｄ１，２の値がＰＤＳＣＨマッピング方式に関連する。
【００２５】
第３の態様は、無線通信方法を提供し、
端末デバイスが少なくとも１つの下り制御情報ＤＣＩを受信し、前記端末デバイスが目標時間ユニットで伝送される複数の上りチャネル／信号を決定し、前記複数の上りチャネル／信号が時間領域において少なくとも一部が重複され、前記少なくとも１つのＤＣＩが前記複数の上りチャネル／信号のうちの少なくとも１つの上り信号／信号を示し、前記複数の上りチャネル／信号が制約条件を満たしている場合、前記端末デバイスが前記複数の上りチャネル／信号に搬送される情報を前記目標時間ユニット内の１つのチャネル／信号に多重して伝送することを含み、前記制約条件は、前記複数の上りチャネル／信号のうちの最も早い上りチャネル／信号の１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含む。
【００２６】
いくつかの実施可能な形態において、前記複数の上りチャネル／信号は、目標物理下り共有チャネルＰＤＳＣＨに対応する確認／非確認ＡＣＫ／ＮＡＣＫ情報を搬送する少なくとも１つの物理上り制御チャネルＰＵＣＣＨを含み、
ここで、前記制約条件は、さらに、前記複数の上りチャネル／信号のうちの最も早い上りチャネル／信号の１番目のシンボルが前記少なくとも１つの目標ＰＤＳＣＨの最後のシンボルの後のＢ番目のシンボルよりも早くなく、前記Ｂが非負の整数である。
【００２７】
いくつかの実施可能な形態において、前記少なくとも１つのＤＣＩは、
物理上り共有チャネルＰＵＳＣＨをスケジューリングするためのＤＣＩを含み、前記複数の上りチャネル／信号が前記ＰＵＳＣＨを含み、及び／又は、下り準持続ＤＬ ＳＰＳリソース解放を示すためのＤＣＩを含み、前記複数の上りチャネル／信号が、前記ＤＬ ＳＰＳリソース解放を示すＤＣＩに対応するＡＣＫ／ＮＡＣＫ情報を搬送するＰＵＣＣＨを含み、及び／又は、物理下り共有チャネルＰＤＳＣＨをスケジューリングするためのＤＣＩを含み、前記複数の上りチャネル／信号が、前記ＰＤＳＣＨに対応するＡＣＫ／ＮＡＣＫ情報を搬送するＰＵＣＣＨを含む。
【００２８】
いくつかの実施可能な形態において、前記上りチャネル／信号は、
動的スケジューリング物理上り共有チャネルＰＵＳＣＨ、準持続スケジューリング物理上り共有チャネルＳＰＳ−ＰＵＳＣＨ、確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、準持続的チャネル状態情報ＳＰＳ−ＣＳＩを搬送する物理上り制御チャネルＰＵＣＣＨ、準持続的チャネル状態情報ＳＰＳ−ＣＳＩを搬送する物理上り共有チャネルＰＵＳＣＨ、及びスケジューリング要求ＳＲを搬送する物理上り制御チャネルＰＵＣＣＨを含む。
【００２９】
いくつかの実施可能な形態において、前記Ａ＝Ｎ２＋１であり、Ｎ２が物理上り共有チャネルＰＵＳＣＨのスケジューリングの準備時間である。
【００３０】
いくつかの実施可能な形態において、前記Ｂ＝Ｎ１＋１＋ｄ１，２であり、Ｎ１がＰＤＳＣＨ処理時間であり、ｄ１,２の値が物理下り共有チャネルＰＤＳＣＨマッピング方式に関連する。
【００３１】
第４の態様は、無線通信方法を提供し、
ネットワークデバイスが端末デバイスに少なくとも１つの下り制御情報ＤＣＩを送信し、前記ネットワークデバイスが目標時間ユニットで伝送される複数の上りチャネル／信号を決定し、前記複数の上りチャネル／信号が時間領域において少なくとも一部が重複され、前記少なくとも１つのＤＣＩが前記複数の上りチャネル／信号のうちの少なくとも１つの上り信号／信号を示し、前記複数の上りチャネル／信号が制約条件を満たしている場合、前記ネットワークデバイスが前記目標時間ユニット内の１つのチャネル／信号を受信し、前記複数の上りチャネル／信号に搬送される情報が前記１つのチャネル／信号に多重して伝送することを含み、前記制約条件は、前記複数の上りチャネル／信号のうちの最も早い上りチャネル／信号の１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含む。
【００３２】
いくつかの実施可能な形態において、前記複数の上りチャネル／信号は、目標物理下り共有チャネルＰＤＳＣＨに対応する確認／非確認ＡＣＫ／ＮＡＣＫ情報を搬送する少なくとも１つの物理上り制御チャネルＰＵＣＣＨを含み、ここで、前記制約条件は、さらに、前記複数の上りチャネル／信号のうちの最も早い上りチャネル／信号の１番目のシンボルが前記少なくとも１つの目標ＰＤＳＣＨの最後のシンボルの後のＢ番目のシンボルよりも早くなく、前記Ｂが非負の整数である。
【００３３】
いくつかの実施可能な形態において、前記少なくとも１つのＤＣＩは、
物理上り共有チャネルＰＵＳＣＨをスケジューリングするためのＤＣＩを含み、前記複数の上りチャネル／信号が前記ＰＵＳＣＨを含み、及び／又は、下り準持続ＤＬ ＳＰＳリソース解放を示すためのＤＣＩを含み、前記複数の上りチャネル／信号が、前記ＤＬ ＳＰＳリソース解放を示すＤＣＩに対応するＡＣＫ／ＮＡＣＫ情報を搬送するＰＵＣＣＨを含み、及び／又は、物理下り共有チャネルＰＤＳＣＨをスケジューリングするためのＤＣＩを含み、前記複数の上りチャネル／信号が、前記ＰＤＳＣＨに対応するＡＣＫ／ＮＡＣＫ情報を搬送するＰＵＣＣＨを含む。
【００３４】
いくつかの実施可能な形態において、前記上りチャネル／信号は、
動的スケジューリング物理上り共有チャネルＰＵＳＣＨ、準持続スケジューリング物理上り共有チャネルＳＰＳ−ＰＵＳＣＨ、確認／非確認ＡＣＫ／ＮＡＣＫ情報を搬送する物理上り制御チャネルＰＵＣＣＨ、
周期チャネル状態情報Ｐ−ＣＳＩを搬送する物理上り制御チャネルＰＵＣＣＨ、準持続的チャネル状態情報ＳＰＳ−ＣＳＩを搬送する物理上り制御チャネルＰＵＣＣＨ、準持続的チャネル状態情報ＳＰＳ−ＣＳＩを搬送する物理上り共有チャネルＰＵＳＣＨ、及びスケジューリング要求ＳＲを搬送する物理上り制御チャネルＰＵＣＣＨを含む。
【００３５】
いくつかの実施可能な形態において、前記Ａ＝Ｎ２＋１であり、Ｎ２が物理上り共有チャネルＰＵＳＣＨのスケジューリングの準備時間である。
【００３６】
いくつかの実施可能な形態において、前記Ｂ＝Ｎ１＋１＋ｄ１，２であり、Ｎ１がＰＤＳＣＨ処理時間であり、ｄ１,２の値が物理下り共有チャネルＰＤＳＣＨマッピング方式に関連する。
【００３７】
第５の態様は、無線通信方法を提供し、
端末デバイスが少なくとも１つの物理上り制御チャネルＰＵＣＣＨ及び複数の物理上り共有チャネルＰＵＳＣＨを決定し、前記少なくとも１つのＰＵＣＣＨが前記複数のＰＵＳＣＨと時間領域において少なくとも一部が重複され、前記端末デバイスが前記複数のＰＵＳＣＨから制約条件を満たしているＰＵＳＣＨを決定し、前記端末デバイスが前記制約条件を満たしているＰＵＳＣＨから、目標ＰＵＳＣＨを決定し、前記端末デバイスが前記目標ＰＵＳＣＨを利用して前記少なくとも１つのＰＵＣＣＨに搬送される上り制御情報を伝送することを含み、ここで、前記制約条件は、上記の第１の態様〜第４の態様に記載の無線通信方法のいずれかの制約条件である。
【００３８】
いくつかの実施可能な形態において、前記目標ＰＵＳＣＨは、前記制約条件を満たすＰＵＳＣＨのうちの最も早いＰＵＳＣＨである。
【００３９】
いくつかの実施可能な形態において、前記目標ＰＵＳＣＨは、前記制約条件を満たすＰＵＳＣＨのいずれかのＰＵＳＣＨである。
【００４０】
第６の態様は、無線通信方法を提供し、
ネットワークデバイスが少なくとも１つの物理上り制御チャネルＰＵＣＣＨ及び複数の物理上り共有チャネルＰＵＳＣＨを決定し、前記少なくとも１つのＰＵＣＣＨと前記複数のＰＵＳＣＨとが時間領域において少なくとも一部が重複され、前記ネットワークデバイスが前記複数のＰＵＳＣＨから制約条件を満たしているＰＵＳＣＨを決定し、前記ネットワークデバイスが前記制約条件を満たしているＰＵＳＣＨから目標ＰＵＳＣＨを決定し、前記ネットワークデバイスが前記目標ＰＵＳＣＨを受信し、前記少なくとも１つのＰＵＣＣＨに搬送される上り制御情報は、前記目標ＰＵＳＣＨに多重して伝送され、ここで、前記制約条件は、上記の第１の態様〜第４の態様に記載の無線通信方法のいずれかの前記制約条件である。
【００４１】
いくつかの実施可能な形態において、前記目標ＰＵＳＣＨは、前記制約条件を満たしているＰＵＳＣＨのうちの最も早いＰＵＳＣＨである。
【００４２】
いくつかの実施可能な形態において、前記目標ＰＵＳＣＨは、前記制約条件を満たしているＰＵＳＣＨのいずれかのＰＵＳＣＨである。
【００４３】
第７の態様は、無線通信方法を提供し、
端末デバイスが少なくとも１つの物理上り制御チャネルＰＵＣＣＨ及び複数の物理上り共有チャネルＰＵＳＣＨを決定し、前記少なくとも１つのＰＵＣＣＨと前記複数のＰＵＳＣＨとが時間領域において少なくとも一部が重複され、前記少なくとも１つのＰＵＣＣＨと前記複数のＰＵＳＣＨが制約条件を満たし、前記端末デバイスが前記複数のＰＵＳＣＨから目標ＰＵＳＣＨを決定し、前記端末が前記目標ＰＵＳＣＨを利用して前記少なくとも１つのＰＵＣＣＨに搬送される上り制御情報を伝送し、ここで、前記制約条件は、上記の第１の態様〜第４の態様に記載の無線通信方法のいずれからの制約条件である。
【００４４】
いくつかの実施可能な形態において、前記目標ＰＵＳＣＨは、前記制約条件を満たしているＰＵＳＣＨのうちの最も早いＰＵＳＣＨである。
【００４５】
いくつかの実施可能な形態において、前記目標ＰＵＳＣＨは、前記制約条件を満たしているＰＵＳＣＨのうちのいずれかのＰＵＳＣＨである。
【００４６】
第８の態様は、無線通信方法を提供し、
ネットワークデバイスが少なくとも１つの物理上り制御チャネルＰＵＣＣＨ及び複数の物理上り共有チャネルＰＵＳＣＨを決定し、前記少なくとも１つのＰＵＣＣＨと前記複数のＰＵＳＣＨとが時間領域において少なくとも一部が重複され、前記少なくとも１つのＰＵＣＣＨと前記複数のＰＵＳＣＨとが制約条件を満たし、前記ネットワークデバイスが前記複数のＰＵＳＣＨから目標ＰＵＳＣＨを決定し、前記ネットワークデバイスが前記目標ＰＵＳＣＨを受信し、前記少なくとも１つのＰＵＣＣＨに搬送される上り制御情報は、前記目標ＰＵＳＣＨに重複して伝送され、ここで、前記制約条件は、上記の第１の態様〜第４の態様に記載の無線通信方法のいずれかの制約条件である。
【００４７】
いくつかの実施可能な形態において、前記目標ＰＵＳＣＨは、前記制約条件を満たしているＰＵＳＣＨのうちの最も早いＰＵＳＣＨである。
【００４８】
いくつかの実施可能な形態において、前記目標ＰＵＳＣＨは、前記制約条件を満たしているＰＵＳＣＨのいずれかのＰＵＳＣＨである。
【００４９】
第９の態様は、上記第１の態様から第８の態様のいずれかの方法、または上記の可能な実施例のいずれかの方法を実行するための通信デバイスを提供する。
【００５０】
いくつかの実施可能な形態において、前記通信デバイスは、
上記の第１の態様から第８の態様のいずれかの方法または上記の可能な実施例のいずれかの方法を実行するための機能モジュールを含む。
【００５１】
いくつかの実施可能な形態において、前記通信デバイスが端末デバイスであり、前記端末デバイスは、第１の態様又は第３の態様又は第５の態様又は第７の態様の方法を実行する。
【００５２】
いくつかの実施可能な形態において、前記通信デバイスがネットワークデバイスである、前記ネットワークデバイスは、前記第２の態様又は第４の態様又は第６の態様又は第８の態様の方法を実行する。
【００５３】
第１０態様は、通信デバイスを提供し、
メモリからコンピュータプログラムを呼び出して実行するように構成されるプロセッサを備え、コンピュータプログラムは、第１の態様から第８の態様のいずれかの方法、または、可能な形態のいずれかの方法を実行する。
【００５４】
いくつかの実施可能な形態において、前記通信デバイスは、さらに、
コンピュータプログラムを記憶するメモリを備える。
【００５５】
いくつかの実施可能な形態において、前記通信デバイスが端末デバイス、前記端末デバイスが、上記の第１の態様又は第３の態様又は第５の態様又は第７の態様の方法を実行する。
【００５６】
いくつかの実施可能な形態において、前記通信デバイスがネットワークデバイス、前記ネットワークデバイスが上記の第２の態様又は第４の態様又は第６の態様又は第８の態様の方法を実行する。
【００５７】
第１１の態様は、チップを提供し、上記の第１の態様〜第８の態様のいずれかの態様の方法又は実行可能な方法を実行する。
【００５８】
いくつかの実施可能な形態において、前記チップは、
プロセッサを含み、このプロセッサは、メモリからコンピュータプログラムを呼び出して実行するように構成され、第１の態様〜第８の態様のいずれかの方法、または、可能な実施のいずれかの方法を実行するように構成される
いくつかの実施可能な形態において、前記チップは、
コンピュータプログラムを格納するためのメモリを備える。
【００５９】
第１２の態様は、上記第１の態様から第８の態様のいずれかの方法または上記の可能な実施のいずれかの方法を実行するためのコンピュータプログラムを記憶するためのコンピュータ可読記憶媒体を提供する。
【００６０】
第１３の態様は、コンピュータプログラム命令を備えるコンピュータプログラム製品を提供し、コンピュータプログラム命令は、第１の態様から第８の態様のいずれかの方法、または、可能な実施のいずれかの方法を実行するために使用される。
【００６１】
第１４の態様は、コンピュータ上で実行されると、コンピュータに、第１の態様から第８の態様のいずれかの方法、または可能な実装のいずれかの方法を実行させるコンピュータプログラムを提供する。
【００６２】
第１５の態様は、通信システムを提供し、ネットワークデバイス及び端末デバイスを備え、 前記端末デバイスは、
目標時間ユニットで伝送される複数の上りチャネル／信号、前記複数の上りチャネル／信号が制約条件を満たしていると決定する場合、前記複数の上りチャネル／信号に搬送される情報を前記目標時間ユニット内の１つのチャネル／信号に多重して伝送し、前記複数の上りチャネル／信号が時間領域において少なくとも一部が重複され、前記ネットワークデバイスは、
前記複数の上りチャネル／信号、前記複数の上りチャネル／信号が制約条件を満たしていると決定する場合、前記目標時間ユニット内の１つのチャネル／信号を受信し、前記制約条件は、前記複数の上りチャネル／信号のうちの最も早い上りチャネル／信号の１番目のシンボルが、目標チャネル／信号の開始時間の後、又は最後のシンボルの後のＡ番目のシンボルよりも早くなく、前記Ａが非負の整数であることを含む。
【００６３】
第１６の態様は、通信システムを提供し、ネットワークデバイス及び端末デバイスを備え、前記端末デバイスは、
少なくとも１つの下り制御情報ＤＣＩを受信し、目標時間ユニットで伝送される複数の上りチャネル／信号を決定し、前記複数の上りチャネル／信号が時間領域において少なくとも一部が重複され、前記少なくとも１つのＤＣＩが前記複数の上りチャネル／信号のうちの少なくとも１つの上り信号／信号を示し、前記複数の上りチャネル／信号が制約条件を満たしている場合、前記複数の上りチャネル／信号に搬送される情報を前記目標時間ユニット内の１つのチャネル／信号に多重して伝送し、前記ネットワークデバイスは、
端末デバイスに前記少なくとも１つのＤＣＩを送信し、前記複数の上りチャネル／信号、前記複数の上りチャネル／信号が前記制約条件を満たしていると決定する場合、前記目標時間ユニット内の１つのチャネル／信号を受信し、前記制約条件は、前記複数の上りチャネル／信号のうちの最も早い上りチャネル／信号の１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含む。
【００６４】
第１７の態様は、通信システムを提供し、ネットワークデバイス及び端末デバイスを備え、前記端末デバイスは、
少なくとも１つの物理上り制御チャネルＰＵＣＣＨ及び複数の物理上り共有チャネルＰＵＳＣＨを決定し、前記少なくとも１つのＰＵＣＣＨと前記複数のＰＵＳＣＨとが時間領域において少なくとも一部が重複され、前記複数のＰＵＳＣＨから制約条件を満たしているＰＵＳＣＨを決定し、前記制約条件を満たしているＰＵＳＣＨから目標ＰＵＳＣＨを決定し、前記目標ＰＵＳＣＨで前記少なくとも１つのＰＵＣＣＨに搬送される上り制御情報を伝送し、ここで、前記制約条件は、上記第１の態様〜第４の態様に記載の無線通信方法のいずれかの制約条件であり、前記ネットワークデバイスは、
前記少なくとも１つのＰＵＣＣＨ及び前記複数のＰＵＳＣＨを決定し、前記少なくとも１つのＰＵＣＣＨと前記複数のＰＵＳＣＨとが時間領域において少なくとも一部が重複され、前記複数のＰＵＳＣＨから制約条件を満たしているＰＵＳＣＨを決定し、前記制約条件を満たしているＰＵＳＣＨから目標ＰＵＳＣＨを決定し、前記目標ＰＵＳＣＨを受信する。
【００６５】
第１８の態様は、通信システムを提供し、ネットワークデバイス及び端末デバイスを含み、前記端末デバイスは、
少なくとも１つの物理上り制御チャネルＰＵＣＣＨ及び複数の物理上り共有チャネルＰＵＳＣＨを決定し、前記少なくとも１つのＰＵＣＣＨと前記複数のＰＵＳＣＨとが時間領域において少なくとも一部が重複され、前記少なくとも１つのＰＵＣＣＨと前記複数のＰＵＳＣＨとが制約条件を満たし、前記複数のＰＵＳＣＨから目標ＰＵＳＣＨを決定し、前記目標ＰＵＳＣＨを利用して前記少なくとも１つのＰＵＣＣＨに含まれる上り制御情報を伝送し、ここで、前記制約条件は、上記の第１の態様〜第４の態様に記載の無線通信方法のいずれかの前記制約条件であり、前記ネットワークデバイスは、
前記少なくとも１つのＰＵＣＣＨ及び前記複数のＰＵＳＣＨを決定し、前記複数のＰＵＳＣＨから目標ＰＵＳＣＨを決定し、前記目標ＰＵＳＣＨを受信する。
【図面の簡単な説明】
【００６６】
【図１】本発明の応用シナリオの例である。
【図２】本発明の実施例における無線通信方法のフローチャートである。
【図３】本発明の実施例における制約条件のブロック図である。
【図４】本発明の実施例における制約条件のブロック図である。
【図５】本発明の実施例における制約条件のブロック図である。
【図６】本発明の実施例における無線通信方法の他のフローチャートである。
【図７】本発明の実施例における制約条件の他のブロック図である。
【図８】本発明の実施例における制約条件の他のブロック図である。
【図９】本発明の実施例における制約条件の他のブロック図である。
【図１０】本発明の実施例における制約条件の他のブロック図である。
【図１１】本発明の実施例における無線通信方法の他のフローチャートである。
【図１２】本発明の実施例における無線通信方法の他のフローチャートである。
【図１３】本発明の実施例における制約条件の他のブロック図である。
【図１４】本発明の実施例における通信デバイスのブロック図である。
【図１５】本発明の実施例における通信デバイスの他のブロック図である。
【図１６】本発明の実施例におけるチップのブロック図である。
【図１７】本発明の実施例におけるシステムのブロック図である。
【発明を実施するための形態】
【００６７】
以下、本願の実施例における技術的解決策を、本願の実施例における添付図面と併せて、明確かつ完全に説明する。
【００６８】
図１は、本発明の実施例の応用シナリオの概略図である。
【００６９】
図１に示すように、通信システム１００は、端末デバイス１１０と、ネットワークデバイス１２０とを含みうる。ネットワークデバイス１２０は、エアインタフェースを通じて端末デバイス１１０と通信し得る。端末デバイス１１０とネットワークデバイス１２０との間でマルチサービス伝送がサポートされる。
【００７０】
本発明の実施例は、通信システム１００を例としてのみ説明されるが、本発明の実施例は、それに限定されない。すなわち、本発明の実施例は、例えば、グローバルモバイル通信( ＧＳＭ：Ｇｌｏｂａｌ  Ｍｏｂｉｌｅ  Ｃｏｍｍｕｎｉｃａｔｉｏｎｓ )システム、符号分割多元接続( Ｃｏｄｅ Ｄｉｖｉｓｉｏｎ Ｍｕｌｔｉｐｌｅ Ａｃｃｅｓｓ、ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システム、汎用パケット無線サービス( Ｇｅｎｅｒａｌ Ｐａｃｋｅｔ Ｒａｄｉｏ Ｓｅｒｖｉｃｅ、ＧＰＲＳ )、ロングタームエボリューション( Ｌｏｎｇ Ｔｅｒｍ  Ｅｖｏｌｕｔｉｏｎ、ＬＴＥ )システム、ＬＴＥ時分割複信( Ｔｉｍｅ Ｄｉｖｉｓｉｏｎ Ｄｕｐｌｅｘ、ＴＤＤ )、汎用移動体通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ )、全地球相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ、ＷｉＭＡＸ )通信システム、新無線( Ｎｅｗ Ｒａｄｉｏ、ＮＲ )、又は将来の５Ｇシステム等の様々な通信システムに適用することができる。
【００７１】
５Ｇシステムを例にとると、本願の実施例の技術的解決策は、広域のロングタームエボリューション( Ｌｏｎｇ  Ｔｅｒｍ  Ｅｖｏｌｕｔｉｏｎ、ＬＴＥ )カバレッジおよびＮＲの離島カバレッジモードに適用され得る。また、多くのＬＴＥ展開は６ ＧＨｚ以下であり、５Ｇに使用できる６ ＧＨｚ以下のスペクトルは少ない。したがって、ＮＲは６ ＧＨｚ以上のスペクトル適用を検討しなければならず、高周波数帯域のカバレッジは限られており、信号のフェージングは速い。同時に、ＬＴＥ投資における移動体事業者の早期保護のために、ＬＴＥとＮＲとの間の密接な接続( ｔｉｇｈｔ ｉｎｔｅｒｗｏｒｋｉｎｇ )の動作モードが提案される。
【００７２】
５Ｇの主なアプリケーションシナリオは、エンハンストモバイルウルトラワイドバンド( Ｅｎｈａｎｃｅ Ｍｏｂｉｌｅ Ｂｒｏａｄｂａｎｄ、ｅＭＢＢ )、低遅延高信頼通信( Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ、ＵＲＬＬＣ )、大規模機械クラス通信( ｍａｓｓｉｖｅ ｍａｃｈｉｎｅ ｔｙｐｅ ｏｆ ｃｏｍｍｕｎｉｃａｔｉｏｎ、ｍＭＴＣ )を含む。ここで、ｅＭＢＢは、ユーザがマルチメディアコンテンツ、サービス、およびデータを入手することを目指しており、その需要は非常に急速に伸びている。ｅＭＢＢは異なるシナリオで展開され得る。例えば、屋内、市区、農村などは、その能力やニーズの差が大きいため一概には言えず、具体的な配備場面に合わせて詳細に分析することができる。ＵＲＬＬＣの典型的な用途は、産業自動化、電気自動化、遠隔医療操作(手術)、交通安全保障などを含む。ｍＭＴＣの代表的な特徴は、接続密度が高いこと、データ量が少ないこと、遅延に敏感されないトラフィックであること、モジュールの低コスト化、長寿命化などである。
【００７３】
図１に示す通信システム１００において、ネットワークデバイス１２０は、端末デバイス１１０と通信するアクセスネットワークデバイスであってもよい。アクセスネットワークデバイスは、特定の地理的エリアに通信カバレッジを提供し得、カバレッジエリア内に配置されたＵＥなどの端末デバイス１１０と通信し得る。
【００７４】
例えば、アクセスネットワークデバイスは、グローバルモバイル通信システム( Ｇｌｏｂａｌ Ｓｙｓｔｅｍ ｏｆ Ｍｏｂｉｌｅ ｃｏｍｍｕｎｉｃａｔｉｏｎ、ＧＳＭ )または符号分割多元接続( Ｃｏｄｅ Ｄｉｖｉｓｉｏｎ Ｍｕｌｔｉｐｌｅ Ａｃｃｅｓｓ、ＣＤＭＡ )における基地局( Ｂａｓｅ Ｔｒａｎｓｃｅｉｖｅｒ Ｓｔａｔｉｏｎ、ＢＴＳ )であってもよく、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ、ＷＣＤＭＡ )システムにおける基地局( ＮｏｄｅＢ、ＮＢ )であってもよく、ロングタームエボリューション( Ｌｏｎｇ  Ｔｅｒｍ  Ｅｖｏｌｕｔｉｏｎ、ＬＴＥ )システムにおけるエボリューション基地局( Ｅｖｏｌｕｔｉｏｎａｌ Ｎｏｄｅ Ｂ、ｅＮＢ又はｅＮｏｄｅＢ )であってもよい。
【００７５】
また、アクセスネットワークデバイスは、次世代無線アクセスネットワーク( Ｎｅｘｔ Ｇｅｎｅｒａｔｉｏｎ Ｒａｄｉｏ Ａｃｃｅｓｓ Ｎｅｔｗｏｒｋ、ＮＧ ＲＡＮ )、ＮＲシステムの基地局( ｇＮＢ )、クラウド無線アクセスネットワーク( Ｃｌｏｕｄ Ｒａｄｉｏ Ａｃｃｅｓｓ Ｎｅｔｗｏｒｋ、ＣＲＡＮ )の無線制御装置であってもよく、中継局、アクセスポイント、車載装置、ウェアラブル装置、今後進化するパブリック陸上モバイルネットワーク( Ｐｕｂｌｉｃ Ｌａｎｄ Ｍｏｂｉｌｅ Ｎｅｔｗｏｒｋ、ＰＬＭＮ )のネットワークデバイス等であってもよい。
【００７６】
端末デバイス１１０は、アクセス端末、ユーザ装置 Ｕｓｅｒ Ｅｑｕｉｐｍｅｎｔ、ＵＥ )、ユーザ機器、ユーザ局、移動局、モバイル、リモート局、モバイル機器、ユーザ端末、無線通信機器、ユーザエージェント、またはユーザ装置とも呼ばれ得る、無線アクセス網( Ｒａｄｉｏ Ａｃｃｅｓｓ Ｎｅｔｗｏｒｋ、ＲＡＮ )を介して１つまたは複数のコアネットワーク( Ｃｏｒｅ Ｎｅｔｗｏｒｋ )と通信し得る任意の端末デバイスであり得る。例えば、携帯電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、および５Ｇネットワークにおける端末デバイスなどであり得る。
【００７７】
本明細書において、「システム」および「ネットワーク」という用語は、しばしば、本明細書において交換可能に使用されることが理解される。
【００７８】
図２は、本発明の実施例による無線通信方法２００の概略的なフローチャートを示す。図２に示す端末デバイスは、図１に示す端末デバイスであってもよく、図２に示すネットワークデバイスは、図１に示すアクセスネットワークデバイスであってもよい。方法２００は、以下の部分的または全体的な内容を含む。
【００７９】
図２に示すように、該方法は、以下のステップを含む。
【００８０】
Ｓ２１０において、端末デバイスが目標時間ユニットで伝送される複数の上りチャネル／信号を決定し、該複数の上りチャネル／信号が時間領域において少なくとも一部が重複される。
【００８１】
Ｓ２２０において、ネットワークデバイスが該複数の上りチャネル／信号を決定する。
【００８２】
Ｓ２３０において、該複数の上りチャネル／信号が制約条件を満たしている場合、該端末デバイスが該複数の上りチャネル／信号に搬送される情報を該目標時間ユニット内の１つのチャネル／信号に多重して伝送される。
【００８３】
ここで、該制約条件は、該複数の上りチャネル／信号のうちの最も早い上りチャネル／信号の１番目のシンボルが目標チャネル／信号の開始時間の後、又は最後のシンボルの後のＡ番目のシンボルよりも早くなく、該Ａが非負の整数であることを含む。
【００８４】
本発明の実施例に係る目標時間ユニットは、時間領域リソースのリソース粒度として理解され得、例えば、時間スロット、サブフレーム、フレーム、及び伝送時間ユニットなどを含むが、これに限定されない。
【００８５】
任意選択で、該Ａ＝Ｎ２＋１であり、ここで、Ｎ２がＰＵＳＣＨの準備時間（ｐｒｅｐａｒａｔｉｏｎ ｔｉｍｅ）である。
【００８６】
任意選択で、Ａ＝Ｎ２＋ｄ２，１であり、Ｎ２がＰＵＳＣＨの準備時間（ｐｒｅｐａｒａｔｉｏｎ ｔｉｍｅ）である。
【００８７】
任意選択で、ｄ２，１の値は、ＰＵＳＣＨにおける復調参照信号( Ｄｅｍｏｄｕｌａｔｉｏｎ Ｒｅｆｅｒｅｎｃｅ Ｓｉｇｎａｌ、ＤＭＲＳ )構造に関連する。たとえば、ＰＵＳＣＨにおける第１の時間領域シンボルのみがＤＭＲＳを含む場合、ｄ２，１＝０であり、そうでない場合、ｄ２，１＝１である。
【００８８】
任意選択で、該制約条件は、さらに、該複数の上りチャネル／信号のうちの最も早い上りチャネル／信号の開始時間が該目標チャネル／信号の最後のシンボルの後のＢ番目のシンボルよりも早くなく、該Ｂが非負の整数であることを含む。
【００８９】
任意選択で、ｂ＝ Ｎ２＋ｄ１，１＋ｄ１，２であり、Ｎ１がＰＤＳＣＨの処理時間（ｐｒｏｃｅｓｓｉｎｇ ｔｉｍｅ）である。
【００９０】
任意選択で、該Ｂ＝Ｎ１＋１＋ｄ１，２であり、Ｎ１が物理下り共有チャネルＰＤＳＣＨの処理時間である。
【００９１】
任意選択で、ｄ１，１の値は、対応するＡＣＫ／ＮＡＣＫの伝送方式に関する。例えば、ＰＵＣＣＨで対応するＡＣＫ／ＮＡＣＫを伝送する場合、ｄ１，１＝０、ＰＵＳＣＨを使用してＡＣＫ／ＮＡＣＫに対応する伝送を行う場合、ｄ１，１＝１である。
【００９２】
任意選択で、ｄ１，２の値はＰＤＳＣＨマッピング方式に関連する。例えば、ＰＤＳＣＨマッピング方法が３ ＧＰＰ技術仕様( ＴＳ ) ３８.２１１の第７.４.１.１セクションによって規定されるマッピングタイプＡであり、ＰＤＳＣＨの最後のシンボルが７未満のスロットの第i番目のシンボルである場合、ｄ１,２＝７-i。また、例えば、ＰＤＳＣＨマッピング方式が３ ＧＰＰ技術仕様( ＴＳ ) ３８.２１１の第７.４.１.１セクションにより規定されるマッピングタイプＢであり、割り当てられるＰＤＳＣＨシンボル数が４である場合、ｄ１，２＝３である。また、例えば、ＰＤＳＣＨマッピング方法が３ ＧＰＰ技術仕様( ＴＳ ) ３８.２１１の第７.４.１.１節により規定されるマッピングタイプＢであり、割り当てられたＰＤＳＣＨシンボルの数が２である場合、ｄ１，２＝３＋ｄがあり、ここで、ｄは、スケジューリングＰＤＣＣＨと割り当てられたＰＤＳＣＨとの重複シンボルの数である。また例えば、ＰＤＳＣＨマッピング方式が上記マッピングタイプＡでも上記マッピングタイプＢでもなければ、ｄ１，２＝０である。
【００９３】
任意選択で、該複数の上りチャネル／信号の各上りチャネル／信号が周期上りチャネル／信号である。
【００９４】
任意選択で、該上りチャネル／信号は、
準持続スケジューリングＰＵＳＣＨ（Ｓｅｍｉ−Ｐｅｒｓｉｓｔｅｎｔ ＰＵＳＣＨ、ＳＰＳ ＰＵＳＣＨ）、準持続スケジューリング物理下り共有チャネル（ＳＰＳ−ＰＤＳＣＨ）に対応する確認／非確認（ＡＣＫ／ＮＡＣＫ）情報を搬送する物理上り制御チャネル（ＰＵＣＣＨ）、周期チャネル状態情報（Ｐｅｒｓｉｓｔｅｎｔ Ｃｈａｎｎｅｌ Ｓｔａｔｅ Ｉｎｆｏｒｍａｔｉｏｎ、Ｐ−ＣＳＩ）を搬送する物理上り制御チャネル（ＰＵＣＣＨ）、準持続的チャネル状態情報（Ｓｅｍｉ−Ｐｅｒｓｉｓｔｅｎｔ Ｃｈａｎｎｅｌ Ｓｔａｔｅ Ｉｎｆｏｒｍａｔｉｏｎ、ＳＰＳ−ＣＳＩ）を搬送する物理上り制御チャネル（ＰＵＣＣＨ）、準持続的チャネル状態情報（ＳＰＳ−ＣＳＩ）を搬送する物理上り共有チャネル（ＰＵＳＣＨ）、及びスケジューリング要求（Ｓｃｈｅｄｕｌｉｎｇ Ｒｅｑｕｅｓｔ、ＳＲ）を搬送する物理上り制御チャネル（ＰＵＣＣＨ）を含む。
【００９５】
本発明の実施例では、目標時間ユニット内に伝送される複数の上りチャネル/信号が時間領域上で少なくとも一部が重複される場合に、端末デバイスが、複数の上りチャネル/信号に搬送される情報をこの目標時間ユニット内のチャネル/信号に多重して送信するか否かを制約条件により決定できるようにすることで、伝送すべき情報を効率的に伝送することができる。
【００９６】
任意選択で、本発明の実施例では、上記制約条件の具体的に内容は、該複数の上りチャネル／信号の具体的なタイプに応じて決定されてよい。
【００９７】
以下、図面及びシナリオを参照し、本発明の実施例の制約条件を説明する。
【００９８】
ある実施例において、該複数の上りチャネル／信号は、少なくとも１つの準持続スケジューリング物理下り共有チャネル（Ｓｅｍｉ−Ｐｅｒｓｉｓｔｅｎｔ Ｐｈｙｓｉｃａｌ Ｄｏｗｎｌｉｎｋ Ｓｈａｒｅｄ Ｃｈａｎｎｅｌ、ＳＰＳ−ＰＤＳＣＨ）に対応する確認／非確認（ＡＣＫ／ＮＡＣＫ）情報を搬送する物理上り制御チャネル（Ｐｈｙｓｉｃａｌ Ｕｐｌｉｎｋ Ｃｏｎｔｒｏｌ Ｃｈａｎｎｅｌ、ＰＵＣＣＨ）を含み、該目標チャネル／信号は、該少なくとも１つのＰＵＣＣＨに対応するＳＰＳ−ＰＤＳＣＨのうちの最後のＳＰＳ−ＰＤＳＣＨである。以下、該複数の上りチャネル／信号がＳＰＳ−ＰＤＳＣＨに対応するＡＣＫ／ＮＡＣＫ情報を搬送する１つのＰＵＣＣＨを含むことを例として、図３を参照し、該複数の上りチャネル／信号のうちの最も早い上りチャネル／信号の１番目のシンボルが目標チャネル／信号の開始時間の後のＡ番目のシンボルよりも早くないことを説明する。
【００９９】
図３に示すように、該複数の上りチャネルは、ＳＰＳ−ＰＤＳＣＨに対応するＡＣＫ／ＮＡＣＫ情報を搬送する１つのＰＵＣＣＨ及びＳＰＳ−ＰＵＳＣＨ/ＳＰＳ−ＣＳＩ／Ｐ−ＣＳＩ／ＳＲを搬送する１つの上りチャネル／信号を含む。ここで、ＳＰＳ−ＰＵＳＣＨ/ＳＰＳ−ＣＳＩ／Ｐ−ＣＳＩ／ＳＲを搬送する上りチャネル／信号は、ＳＰＳ ＰＵＳＣＨ、ＳＰＳ−ＰＤＳＣＨに対応するＡＣＫ／ＮＡＣＫ情報を搬送するＰＵＣＣＨ、Ｐ−ＣＳＩを搬送するＰＵＣＣＨ、ＳＰＳ−ＣＳＩを搬送するＰＵＣＣＨ、ＳＰＳ−ＣＳＩを搬送するＰＵＳＣＨ、及びＳＲを搬送するＰＵＣＣＨのいずれかであってもよい。
【０１００】
図３に示すように、ＳＰＳ−ＰＵＳＣＨ/ＳＰＳ−ＣＳＩ／Ｐ−ＣＳＩ／ＳＲを搬送する上りチャネル／信号がＳＰＳ−ＰＤＳＣＨに対応するＡＣＫ／ＮＡＣＫ情報を搬送するＰＵＣＣＨよりも早い。そして、端末デバイスは、該ＳＰＳ−ＰＤＳＣＨに対応するＡＣＫ／ＮＡＣＫ情報を搬送するＰＵＣＣＨと該ＳＰＳ−ＰＤＳＣＨとが制約条件を満たすかどうかを決定し、該ＳＰＳ−ＰＤＳＣＨに対応するＡＣＫ／ＮＡＣＫ情報を搬送するＰＵＣＣＨと該ＳＰＳ−ＰＤＳＣＨとが制約条件を満たしていると決定する場合、該ＳＰＳ−ＰＵＳＣＨ/ＳＰＳ−ＣＳＩ／Ｐ−ＣＳＩ／ＳＲを搬送する上りチャネル／信号及び該ＳＰＳ−ＰＤＳＣＨに対応するＡＣＫ／ＮＡＣＫ情報を搬送するＰＵＣＣＨを、１つのチャネル／信号に多重して伝送する。該１つのチャネル／信号は、該ＳＰＳ−ＰＵＳＣＨ/ＳＰＳ−ＣＳＩ／Ｐ−ＣＳＩ／ＳＲを搬送する上りチャネル／信号及び該ＳＰＳ−ＰＤＳＣＨに対応するＡＣＫ／ＮＡＣＫ情報を搬送するＰＵＣＣＨのいずれかであってもよく、例えば、判断規則に基づいて、該ＳＰＳ−ＰＵＳＣＨ/ＳＰＳ−ＣＳＩ／Ｐ−ＣＳＩ／ＳＲを搬送する上りチャネル／信号及び該ＳＰＳ−ＰＤＳＣＨに対応するＡＣＫ／ＮＡＣＫ情報を搬送するＰＵＣＣＨから１つを選択して多重してもよい。
【０１０１】
図３に示すように、該ＳＰＳ−ＰＵＳＣＨ/ＳＰＳ−ＣＳＩ／Ｐ−ＣＳＩ／ＳＲを搬送する上りチャネル／信号の１番目のシンボルがＳＰＳ−ＰＤＳＣＨの開始時間の後のＡ番目のシンボルよりも早くなく、該Ａが非負の整数である。さらに、該ＳＰＳ−ＰＵＳＣＨ/ＳＰＳ−ＣＳＩ／Ｐ−ＣＳＩ／ＳＲを搬送する上りチャネル／信号の開始時間が該ＳＰＳ−ＰＤＳＣＨの最後のシンボル後のＢ番目のシンボルよりも早くなく、該Ｂが非負の整数である。そして、該ＳＰＳ−ＰＤＳＣＨに対応するＡＣＫ／ＮＡＣＫ情報を搬送するＰＵＣＣＨと該ＳＰＳ−ＰＤＳＣＨとが制約条件を満たすと判定することができる。
【０１０２】
なお、図３に示す時間領域で複数の上りチャネル/信号が部分的に重複するブロック図は、単なる例であり、他の代替的な実施例では、複数の上りチャネル/信号は、他のタイプの上り周期信号をさらに含むことができ、複数の上りチャネル/信号は、複数のＳＰＳ−ＰＤＳＣＨをさらに含むことができる
例えば、図４に示すように、該複数の上りチャネル／信号は、ＳＰＳ−ＰＤＳＣＨ １に対応するＡＣＫ／ＮＡＣＫ １情報を搬送するＰＵＣＣＨ及びＳＰＳ−ＰＤＳＣＨ ２に対応するＡＣＫ／ＮＡＣＫ ２情報を搬送するＰＵＣＣＨを含む。この時、本発明の実施例における目標チャネル／信号は、該少なくとも１つのＰＵＣＣＨに対応するＳＰＳ−ＰＤＳＣＨのうちの最後のＳＰＳ−ＰＤＳＣＨである。即ち、ＳＰＳ−ＰＤＳＣＨ １である。
【０１０３】
他の実施例において、該複数の上りチャネル／信号がＳＰＳ−ＰＤＳＣＨに対応するＡＣＫ／ＮＡＣＫ情報を搬送するＰＵＣＣＨを含まず、該目標チャネル／信号は、該目標時間ユニットの前に送信した該複数の上りチャネル／信号のうちの最後の上りチャネル／信号である。
【０１０４】
例えば、図５に示すように、該複数の上りチャネル／信号が第１の周期上りチャネル／信号（ＣＨ １１）及び第２の周期上りチャネル／信号（ＣＨ １２）を含み、ここで、該第１の周期上りチャネル／信号と該第２の周期チャネル／信号とがＳＰＳ−ＰＵＳＣＨ/ＳＰＳ−ＣＳＩ／Ｐ−ＣＳＩ／ＳＲを搬送する上りチャネル／信号である。目標時間ユニットにおいて、該第２の周期上りチャネル／信号が該第１の周期上りチャネル／信号よりも早く、該目標時間ユニットの前に送信した該複数の上りチャネル／信号（図５に示すＣＨ ２１及びＣＨ ２２）のうちの最後の上りチャネル／信号が第１の周期上りチャネル／信号（ＣＨ ２１）であるため、ＣＨ １２とＣＨ ２１とが制約条件を満たすかどうかを判断することで、ＣＨ １２及びＣＨ １１に搬送される情報を上りチャネル／信号に多重して伝送するかどうかを決定する。
【０１０５】
図５に示すように、該ＣＨ １２の１番目のシンボルが該ＣＨ ２１の開始時間後のＡ番目のシンボルよりも早くなく、該Ａが非負の整数である。そして、ＣＨ １２とＣＨ ２１とが制約条件を満たしてると決定し、ＣＨ １２及びＣＨ ２１に搬送される情報を１つの上りチャネル／信号に多重して伝送することができる。
【０１０６】
なお、図５に示すＣＨ２１は、目標時間ユニットの前に端末デバイスが送信するＣＨ１１であり、図５に示すＣＨ２２は、目標時間ユニットの前に端末デバイスが送信するＣＨ１２である。なお、この実施例では、ＣＨ２１とＣＨ１１が同一周期の上りチャネル／信号であることを説明するため、ＣＨ２１とＣＨ１１の間の具体的な内容は限定されない。例えば、ＣＨ２１とＣＨ１１の内容は同じであってもよいし、異なっていてもよい。これに応じて、ＣＨ２２とＣＨ１２の内容は同一であっても異なっていてもよい。
【０１０７】
なお、本発明の実施例における端末デバイスは、目標時間ユニットにおける複数の上りチャネル／信号が制約条件を満たすかどうかを判断して、該複数の上りチャネル／信号に搬送される情報が該目標時間ユニットの１つの上りチャネル／信号に多重して伝送するかどうかを決定するが、本発明の実施例において、該目標時間ユニットにおけるどの上りチャネル／信号に多重するか、該複数の上りチャネル／信号が制約条件を満たさない場合の操作は、限定されない。
【０１０８】
以下、該複数の上りチャネル／信号が制約条件を満たさない場合に該端末デバイスが行う操作を説明する。
例として、該複数の上りチャネル／信号が、準持続スケジューリング物理下り共有チャネル（Ｓｅｍｉ−Ｐｅｒｓｉｓｔｅｎｔ Ｐｈｙｓｉｃａｌ Ｄｏｗｎｌｉｎｋ Ｓｈａｒｅｄ Ｃｈａｎｎｅｌ、ＳＰＳ−ＰＤＳＣＨ）に対応する確認／非確認（ＡＣＫ／ＮＡＣＫ）情報を搬送する少なくとも１つの物理上り制御チャネル（Ｐｈｙｓｉｃａｌ Ｕｐｌｉｎｋ Ｃｏｎｔｒｏｌ Ｃｈａｎｎｅｌ、ＰＵＣＣＨ）を含む場合、該端末デバイスが、該複数の上りチャネル／信号が該制約条件を満たさないと決定する場合、該少なくとも１つのＰＵＣＣＨのおける１つのＰＵＣＣＨを伝送する。他の例として、該端末デバイスは、該複数の上りチャネル／信号が該制約条件を満たさないと決定する場合、該目標時間ユニットにおいて伝送される複数の上りチャネル／信号がエラー状態にあると決定する。他の例として、該端末デバイスは、該複数の上りチャネル／信号が該制約条件を満たさないと決定する場合、該複数の上りチャネル／信号のうちの最も早い上りチャネル／信号を伝送する。
【０１０９】
以上、図２〜図５を参照して、本発明の実施例に係る無線通信方法について、端末デバイスの観点から詳細に説明したが、本発明の実施例は、かかる例に限定されない。図２に示すように、本発明の実施例に係る方法がネットワークデバイスにも応用され、そして、ネットワークデバイスは、該複数の上りチャネル／信号が制約条件を満たしていると決定する場合、該目標時間ユニット内の１つの上りチャネル／信号を受信する。
【０１１０】
具体的に、該ネットワークデバイスが目標時間ユニットで伝送される複数の上りチャネル／信号を決定し、該複数の上りチャネル／信号が時間領域において少なくとも一部が重複され、該複数の上りチャネル／信号が制約条件を満たしている場合、該ネットワークデバイスが該目標時間ユニット内の１つのチャネル／信号を受信し、該複数の上りチャネル／信号に搬送される情報が該１つのチャネル／信号に多重して伝送され、ここで、該制約条件は、該複数の上りチャネル／信号のうちの最も早い上りチャネル／信号の１番目のシンボルが目標チャネル／信号の開始時間の後、又は最後のシンボルの後のＡ番目のシンボルよりも早くなく、該Ａが非負の整数であることを含む。
【０１１１】
任意選択で、該Ａ＝Ｎ２＋１であり、ここで、Ｎ２がＰＵＳＣＨの準備時間である。
【０１１２】
任意選択で、Ａ＝Ｎ２＋ｄ２，１であり、Ｎ２がＰＵＳＣＨの準備時間（ｐｒｅｐａｒａｔｉｏｎ ｔｉｍｅ）である。
【０１１３】
任意選択で、ｄ２，１の値は、ＰＵＳＣＨにおける復調参照信号( Ｄｅｍｏｄｕｌａｔｉｏｎ Ｒｅｆｅｒｅｎｃｅ Ｓｉｇｎａｌ、ＤＭＲＳ )構造に関連する。たとえば、ＰＵＳＣＨにおける第１の時間領域シンボルのみがＤＭＲＳを含む場合、ｄ２，１＝０であり、そうでない場合、ｄ２，１＝１である。
【０１１４】
任意選択で、該制約条件は、さらに、該複数の上りチャネル／信号のうちの最も早い上りチャネル／信号の開始時間が該目標チャネル／信号の最後のシンボルの後のＢ番目のシンボルよりも早くなく、該Ｂが非負の整数であることを含む。
【０１１５】
任意選択で、該Ｂ＝Ｎ１＋１＋ｄ１，２、ここで、Ｎ１がＰＤＳＣＨの処理時間（ｐｒｏｃｅｓｓｉｎｇ ｔｉｍｅ）である。
【０１１６】
任意選択で、ｂ＝ Ｎ２＋ｄ１，１＋ｄ１，２であり、Ｎ1がＰＤＳＣＨの処理時間である。
【０１１７】
任意選択で、ｄ１，１の値は、対応するＡＣＫ／ＮＡＣＫの伝送方式に関する。例えば、ＰＵＣＣＨで対応するＡＣＫ／ＮＡＣＫを伝送する場合、ｄ１，１＝０、ＰＵＳＣＨを使用してＡＣＫ／ＮＡＣＫに対応する伝送を行う場合、ｄ１，１＝１である。
【０１１８】
任意選択で、ｄ１，２の値はＰＤＳＣＨマッピング方式に関連する。例えば、ＰＤＳＣＨマッピング方法が３ ＧＰＰ技術仕様( ＴＳ ) ３８.２１１の第７.４.１.１セクションによって規定されるマッピングタイプＡであり、ＰＤＳＣＨの最後のシンボルが７未満のスロットの第i番目のシンボルである場合、ｄ１,２＝７-i。また、例えば、ＰＤＳＣＨマッピング方式が３ ＧＰＰ技術仕様( ＴＳ ) ３８.２１１の第７.４.１.１セクションにより規定されるマッピングタイプＢであり、割り当てられるＰＤＳＣＨシンボル数が４である場合、ｄ１，２＝３である。また、例えば、ＰＤＳＣＨマッピング方法が３ ＧＰＰ技術仕様( ＴＳ ) ３８.２１１の第７.４.１.１節により規定されるマッピングタイプＢであり、割り当てられたＰＤＳＣＨシンボルの数が２である場合、ｄ１，２＝３＋ｄがあり、ここで、ｄは、スケジューリングＰＤＣＣＨと割り当てられたＰＤＳＣＨとの重複シンボルの数である。また例えば、ＰＤＳＣＨマッピング方式が上記マッピングタイプＡでも上記マッピングタイプＢでもなければ、ｄ１，２＝０である。
【０１１９】
任意選択で、該複数の上りチャネル／信号の各上りチャネル／信号が周期上りチャネル／信号である。
【０１２０】
任意選択で、該複数の上りチャネル／信号がＳＰＳ−ＰＤＳＣＨに対応するＡＣＫ／ＮＡＣＫ情報を搬送する少なくとも１つのＰＵＣＣＨを含み、該目標チャネル／信号が該少なくとも１つのＰＵＣＣＨに対応するＳＰＳ−ＰＤＳＣＨのうちの最後のＳＰＳ−ＰＤＳＣＨ。
【０１２１】
任意選択で、該複数の上りチャネル／信号がＳＰＳ−ＰＤＳＣＨに対応するＡＣＫ／ＮＡＣＫ情報を搬送するＰＵＣＣＨを含まず、該目標チャネル／信号は、該目標時間ユニットの前に受信した該複数の上りチャネル／信号のうちの最後の上りチャネル／信号である。
【０１２２】
任意選択で、該方法は、さらに、
該ネットワークデバイスは、該複数の上りチャネル／信号が該制約条件を満たさないと決定する場合、該少なくとも１つのＰＵＣＣＨのうちの１つのＰＵＣＣＨを受信する。
【０１２３】
任意選択で、該方法は、さらに、
該ネットワークデバイスは、該複数の上りチャネル／信号が該制約条件を満たさないと決定する場合、該目標時間ユニットで伝送される複数の上りチャネル／信号がエラー状態にあると決定する。
【０１２４】
任意選択で、該方法は、さらに、該ネットワークデバイスは、該複数の上りチャネル／信号が該制約条件を満たさないと決定する場合、該複数の上りチャネル／信号のうちの最も早い上りチャネル／信号を受信する。
【０１２５】
任意選択で、該上りチャネル／信号は、
準持続スケジューリングＰＵＳＣＨ（Ｓｅｍｉ−Ｐｅｒｓｉｓｔｅｎｔ ＰＵＳＣＨ、ＳＰＳ ＰＵＳＣＨ）、準持続スケジューリング物理下り共有チャネル（ＳＰＳ−ＰＤＳＣＨ）に対応する確認／非確認（ＡＣＫ／ＮＡＣＫ）情報を搬送する物理上り制御チャネル（ＰＵＣＣＨ）、周期チャネル状態情報（Ｐｅｒｓｉｓｔｅｎｔ Ｃｈａｎｎｅｌ Ｓｔａｔｅ Ｉｎｆｏｒｍａｔｉｏｎ、Ｐ−ＣＳＩ）を搬送する物理上り制御チャネル（ＰＵＣＣＨ）、準持続的チャネル状態情報（Ｓｅｍｉ−Ｐｅｒｓｉｓｔｅｎｔ Ｃｈａｎｎｅｌ Ｓｔａｔｅ Ｉｎｆｏｒｍａｔｉｏｎ、ＳＰＳ−ＣＳＩ）を搬送する物理上り制御チャネル（ＰＵＣＣＨ）、準持続的チャネル状態情報（ＳＰＳ−ＣＳＩ）を搬送する物理上り共有チャネル（ＰＵＳＣＨ）、及びスケジューリング要求（Ｓｃｈｅｄｕｌｉｎｇ Ｒｅｑｕｅｓｔ、ＳＲ）を搬送する物理上り制御チャネル（ＰＵＣＣＨ）を含む。
【０１２６】
ネットワークデバイスによって実行される無線通信のステップは、図２に示される方法２００の対応するステップを参照してもよく、ネットワークデバイスが複数の上りチャネル/信号が制約条件を満たすかどうかを決定する判断方法は、上述した端末デバイス側の対応する実施例を参照してもよく、簡潔のためにここで説明を省略する
図６は、本発明の実施例による、無線通信方法３００の概略的なフローチャートを示す。図６に示す端末デバイスは、図１に示す端末デバイスであってもよく、図６に示すネットワークデバイスは、図１に示すアクセスネットワークデバイスであってもよい。方法３００は、以下の部分的または全体的な内容を含む。
【０１２７】
図６に示すように、該方法３００は、以下のステップを含む。
【０１２８】
Ｓ３１０において、端末デバイスがネットワークデバイスからの少なくとも１つの下り制御情報（Ｄｏｗｎｌｉｎｋ Ｃｏｎｔｒｏｌ Ｉｎｆｏｒｍａｔｉｏｎ、ＤＣＩ）を受信する。
【０１２９】
Ｓ３２０において、該端末デバイスが目標時間ユニットで伝送される複数の上りチャネル／信号を決定し、該複数の上りチャネル／信号が時間領域において少なくとも一部が重複され、該少なくとも１つのＤＣＩは、該複数の上りチャネル／信号のうちの少なくとも１つの上り信号／信号を示す。
【０１３０】
Ｓ３３０において、ネットワークデバイスが該複数の上りチャネル／信号を決定する。
【０１３１】
Ｓ３４０において、該複数の上りチャネル／信号が制約条件を満たす場合、該端末デバイスは、該複数の上りチャネル／信号に搬送される情報を該目標時間ユニットの１つのチャネル／信号に多重して伝送される。
【０１３２】
ここで、該制約条件は、該複数の上りチャネル／信号のうちの最も早い上りチャネル／信号の１番目のシンボルが、該少なくとも１つのＤＣＩを搬送するＰＤＣＣＨの最後のシンボルの後のＡ番目のシンボルよりも早くなく、該Ａが非負の整数であることを含む。
【０１３３】
任意選択で、該Ａ＝Ｎ２＋１であり、Ｎ２が物理上り共有チャネルＰＵＳＣＨのスケジューリングの準備時間である。
【０１３４】
任意選択で、Ａ＝Ｎ２＋ｄ２，１であり、Ｎ２がＰＵＳＣＨの準備時間（ｐｒｅｐａｒａｔｉｏｎ ｔｉｍｅ）である。
【０１３５】
任意選択で、ｄ２，１の値は、ＰＵＳＣＨにおける復調参照信号( Ｄｅｍｏｄｕｌａｔｉｏｎ Ｒｅｆｅｒｅｎｃｅ Ｓｉｇｎａｌ、ＤＭＲＳ )構造に関連する。たとえば、ＰＵＳＣＨにおける第１の時間領域シンボルのみがＤＭＲＳを含む場合、ｄ２，１＝０であり、そうでない場合、ｄ２，１＝１である。
【０１３６】
ある実施例において、該複数の上りチャネル／信号は、目標ＰＤＳＣＨに対応するＡＣＫ／ＮＡＣＫ情報を搬送する少なくとも１つのＰＵＣＣＨを含み、ここで、該制約条件は、さらに、該複数の上りチャネル／信号のうちの最も早い上りチャネル／信号の１番目のシンボルが該少なくとも１つの目標ＰＤＳＣＨの最後のシンボルの後のＢ番目のシンボルよりも早くなく、該Ｂが非負の整数である。
【０１３７】
任意選択で、該Ｂ＝Ｎ１＋１＋ｄ１，２、Ｎ１がＰＤＳＣＨ処理時間である。
【０１３８】
任意選択で、ｂ＝ Ｎ２＋ｄ１，１＋ｄ１，２であり、Ｎ１がＰＤＳＣＨの処理時間（ｐｒｏｃｅｓｓｉｎｇ ｔｉｍｅ）である。
【０１３９】
任意選択で、ｄ１，１の値は、対応するＡＣＫ／ＮＡＣＫの伝送方式に関する。例えば、ＰＵＣＣＨで対応するＡＣＫ／ＮＡＣＫを伝送する場合、ｄ１，１＝０、ＰＵＳＣＨを使用してＡＣＫ／ＮＡＣＫに対応する伝送を行う場合、ｄ１，１＝１である。
【０１４０】
任意選択で、ｄ１，２の値はＰＤＳＣＨマッピング方式に関連する。例えば、ＰＤＳＣＨマッピング方法が３ ＧＰＰ技術仕様( ＴＳ ) ３８.２１１の第７.４.１.１セクションによって規定されるマッピングタイプＡであり、ＰＤＳＣＨの最後のシンボルが７未満のスロットの第i番目のシンボルである場合、ｄ１,２＝７-i。また、例えば、ＰＤＳＣＨマッピング方式が３ ＧＰＰ技術仕様( ＴＳ ) ３８.２１１の第７.４.１.１セクションにより規定されるマッピングタイプＢであり、割り当てられるＰＤＳＣＨシンボル数が４である場合、ｄ１，２＝３である。また、例えば、ＰＤＳＣＨマッピング方法が３ ＧＰＰ技術仕様( ＴＳ ) ３８.２１１の第７.４.１.１節により規定されるマッピングタイプＢであり、割り当てられたＰＤＳＣＨシンボルの数が２である場合、ｄ１，２＝３＋ｄがあり、ここで、ｄは、スケジューリングＰＤＣＣＨと割り当てられたＰＤＳＣＨとの重複シンボルの数である。また例えば、ＰＤＳＣＨマッピング方式が上記マッピングタイプＡでも上記マッピングタイプＢでもなければ、ｄ１，２＝０である。
【０１４１】
任意選択で、該少なくとも１つのＤＣＩは、
ＰＵＳＣＨをスケジューリングするＤＣＩを含み、該複数の上りチャネル／信号が該ＰＵＳＣＨ、及び／又は、下り準持続ＤＬ ＳＰＳリソース解放を示すためのＤＣＩを含み、該複数の上りチャネル／信号がＤＬ ＳＰＳリソース解放を示すＤＣＩに対応するＡＣＫ／ＮＡＣＫ情報を搬送するＰＵＣＣＨ、及び／又は、物理下り共有チャネルＰＤＳＣＨをスケジューリングするためのＤＣＩを含み、且該複数の上りチャネル／信号が該ＰＤＳＣＨに対応するＡＣＫ／ＮＡＣＫ情報を搬送するＰＵＣＣＨを含む。
【０１４２】
任意選択で、該上りチャネル／信号は、
動的スケジューリング物理上り共有チャネル（ＰＵＳＣＨ）、準持続スケジューリングＰＵＳＣＨ（Ｓｅｍｉ−Ｐｅｒｓｉｓｔｅｎｔ ＰＵＳＣＨ、ＳＰＳ ＰＵＳＣＨ）、準持続スケジューリング物理下り共有チャネル（ＳＰＳ−ＰＤＳＣＨ）に対応する確認／非確認（ＡＣＫ／ＮＡＣＫ）情報を搬送する物理上り制御チャネル（ＰＵＣＣＨ）、周期チャネル状態情報（Ｐｅｒｓｉｓｔｅｎｔ Ｃｈａｎｎｅｌ Ｓｔａｔｅ Ｉｎｆｏｒｍａｔｉｏｎ、Ｐ−ＣＳＩ）を搬送する物理上り制御チャネル（ＰＵＣＣＨ）、準持続的チャネル状態情報（Ｓｅｍｉ−Ｐｅｒｓｉｓｔｅｎｔ Ｃｈａｎｎｅｌ Ｓｔａｔｅ Ｉｎｆｏｒｍａｔｉｏｎ、ＳＰＳ−ＣＳＩ）を搬送する物理上り制御チャネル（ＰＵＣＣＨ）、準持続的チャネル状態情報（ＳＰＳ−ＣＳＩ）を搬送する物理上り共有チャネル（ＰＵＳＣＨ）、及びスケジューリング要求（Ｓｃｈｅｄｕｌｉｎｇ Ｒｅｑｕｅｓｔ、ＳＲ）を搬送する物理上り制御チャネル（ＰＵＣＣＨ）を含む。
【０１４３】
以下、図面を参照し、本発明の実施例の制約条件を説明する。
【０１４４】
図７は、該複数の上りチャネル／信号が目標ＰＤＳＣＨに対応するＡＣＫ／ＮＡＣＫ情報を搬送する少なくとも１つのＰＵＣＣＨを含む場合、該制約条件の模式的なブロック図である。
【０１４５】
図７に示すように、端末デバイスがネットワークデバイスにより送信されたＤＣＩ １及びＤＣＩ ２を受信し、ここで、該ＤＣＩ １がＰＵＳＣＨをスケジューリングするＤＣＩであり、該複数の上りチャネル／信号が該ＰＵＳＣＨを含む。該ＤＣＩ ２がＰＤＳＣＨをスケジューリングするＤＣＩであり、該複数の上りチャネル／信号は、該ＰＤＳＣＨに対応するＡＣＫ／ＮＡＣＫ情報を搬送するＰＵＣＣＨを含む。
【０１４６】
ここで、該制約条件は、該複数の上りチャネル／信号のうちの最も早い上りチャネル／信号の１番目のシンボルが該少なくとも１つのＤＣＩを搬送するＰＤＣＣＨの最後のシンボルの後のＡ番目のシンボルよりも早くなく、該Ａが非負の整数であることを含む。
【０１４７】
具体的に、該端末デバイスは、該複数の上りチャネル／信号のうちの最も早い上りチャネル／信号がＤＣＩ １のスケジューリングするＰＵＳＣＨであり、該少なくとも１つのＤＣＩをスケジューリングするＰＤＣＣＨの最後のシンボルが該ＤＣＩ １をスケジューリングするＰＤＣＣＨ、該ＤＣＩ １であり、ＰＵＳＣＨの１番目のシンボルが該少なくとも１つのＤＣＩ １を搬送するＰＤＣＣＨの最後のシンボルの後のＡ番目のシンボルよりも早くなく、該Ａが非負の整数であることを決定する。
【０１４８】
なお、該制約条件は、さらに、該複数の上りチャネル／信号のうちの最も早い上りチャネル／信号の１番目のシンボルが該少なくとも１つの目標ＰＤＳＣＨの最後のシンボルの後のＢ番目のシンボルよりも早くなく、該Ｂが非負の整数である。具体的に、該端末デバイスは、該複数の上りチャネル／信号のうちの最も早い上りチャネル／信号がＤＣＩ １のスケジューリングするするＰＵＳＣＨであり、該少なくとも１つの目標ＰＤＳＣＨの最後のシンボルがＤＣＩ ２のスケジューリングするするＰＤＳＣＨであることを決定し、これにより、該ＤＣＩ １がスケジューリングするＰＵＳＣＨの１番目のシンボルが該ＤＣＩ ２によりスケジューリングするＰＤＳＣＨの最後のシンボルの後のＢ番目のシンボルよりも早くない。
【０１４９】
そして、該端末デバイスは、該複数の上りチャネル／信号が該制約条件を満たしていると決定する。
【０１５０】
なお、図７が該複数の上りチャネル／信号が目標ＰＤＳＣＨに対応するＡＣＫ／ＮＡＣＫ情報を搬送する１つのＰＵＣＣＨを含む例であり、この例において、上記の少なくとも１つのＤＣＩがＤＣＩ １及びＤＣＩ ２を含み、ここで、該ＤＣＩ １がＰＵＳＣＨをスケジューリングするＤＣＩであり、該複数の上りチャネル／信号が該ＰＵＳＣＨを含む。該ＤＣＩ ２がＰＤＳＣＨをスケジューリングするＤＣＩであり、該複数の上りチャネル／信号が該ＰＤＳＣＨに対応するＡＣＫ／ＮＡＣＫ情報を搬送するＰＵＣＣＨを含む。本発明の実施例はこれに限定されない。
【０１５１】
例えば、図８に示すように、該少なくとも１つのＤＣＩがＤＣＩ ２のみを含んでもよい。
【０１５２】
また、例えば、図９に示すように、該少なくとも１つのＤＣＩがＤＣＩ １のみを含んでもよく、なお、該複数の上りチャネル／信号が準持続スケジューリング物理下り共有チャネル（ＳＰＳ−ＰＤＳＣＨ）に対応する確認／非確認（ＡＣＫ／ＮＡＣＫ）情報を搬送する物理上り制御チャネル（ＰＵＣＣＨ）を含み、この場合、該ＳＰＳ−ＰＤＳＣＨは本発明の実施例における目標ＰＤＳＣＨとしてもよい。
【０１５３】
なお、図７〜図９の例において、該複数の上りチャネル／信号が制約条件を満たすことは、該複数の上りチャネル／信号のうちの最も早い上りチャネル／信号の１番目のシンボルが該少なくとも１つのＤＣＩを搬送するＰＤＣＣＨの最後のシンボルの後のＡ番目のシンボルよりも早くなく、該Ａが非負の整数であることを含む。さらに、該複数の上りチャネル／信号のうちの最も早い上りチャネル／信号の１番目のシンボルが該少なくとも１つの目標ＰＤＳＣＨの最後のシンボルの後のＢ番目のシンボルよりも早くなく、該Ｂが非負の整数である。本発明の実施例はこれに限定されない。
【０１５４】
図１０は、本発明の実施例における該複数の上りチャネル／信号がＤＣＩ １によりスケジューリングするされるＰＵＳＣＨ及び他の周期上りチャネル／信号を含む場合、該制約条件のブロック図である。図１０に示すように、該複数の上りチャネル／信号がＤＣＩ １によりスケジューリングするされるＰＵＳＣＨ及びＳＰＳ−ＣＳＩ／Ｐ−ＣＳＩ／ＳＲを搬送する周期上りチャネル／信号を含む。この場合、該複数の上りチャネル／信号のうちの最も早い上りチャネル／信号の１番目のシンボルが、該少なくとも１つのＤＣＩを搬送するＰＤＣＣＨの最後のシンボルの後のＡ番目のシンボルよりも早くなく、該Ａが非負の整数であり、該端末デバイスは該複数の上りチャネル／信号が制約条件を満たしていると決定する。
【０１５５】
具体的に、端末デバイスは、該ＤＣＩ １によりスケジューリングされるＰＵＳＣＨがＳＰＳ−ＣＳＩ／Ｐ−ＣＳＩ／ＳＲを搬送する周期上りチャネル／信号よりも早いと決定する場合、さらに、該ＤＣＩ １によりスケジューリングされるＰＵＳＣＨがＳＰＳ−ＣＳＩ／Ｐ−ＣＳＩ／ＳＲを搬送する周期上りチャネル／信号の最後のシンボルの後のＡ番目のシンボルよりも早くない。
【０１５６】
本発明の実施例において、該目標時間ユニットをスロット（ｓｌｏｔ）ｎとして、端末デバイスは、スロットｎにおいて、１つのＰＵＣＣＨと少なくとも１つの他の上りチャネル( ＰＵＣＣＨまたはＰＵＳＣＨ )とを送信する必要があり、ＰＵＣＣＨと少なくとも１つの他の上りチャネルとは時間的に重複する。この端末デバイスは、ｓｌｏｔ ｎにおいて上り伝送を指示するＤＣＩ ( ｓｌｏｔ ｎにおいて伝送されるＰＵＳＣＨをスケジューリングするＤＣＩ、または、ＰＤＳＣＨ伝送するＤＣＩをスケジューリングし、ＰＤＳＣＨに対応するするＡＣＫ／ＮＡＣＫ情報をｓｌｏｔ ｎにおいて伝送され、ＤＬ ＳＰＳリソース解放を指示するＤＣＩ、該ＤＣＩに対応するＡＣＫ／ＮＡＣＫ情報がｓｌｏｔ ｎにおいて伝送される)を少なくとも１つ受信する。図７〜図１０に示されるように、該１つのＰＵＣＣＨ及び少なくとも１つの他の上りチャネルが、次の条件を満たすならば、１つの上りチャネルで全てのＵＣＩ又はデータ情報が搬送される。
【０１５７】
少なくとも１つのＰＤＳＣＨに対応するＡＣＫ／ＮＡＣＫ情報がｓｌｏｔ ｎにおいて伝送される場合、重複されるチャネルのうちの最も早いチャネルの１番目のシンボルが、該少なくとも１つのＤＣＩを搬送するＰＤＣＣＨの最後のシンボルの後のＡ番目のシンボルにより早くない。及び／又は、
少なくとも１つのＰＤＳＣＨに対応するＡＣＫ／ＮＡＣＫ情報がｓｌｏｔ ｎにおいて伝送される場合、重複されるチャネルのうちの最も早いチャネルの１番目のシンボルが、該少なくとも１つのＰＤＳＣＨの最後のＰＤＳＣＨの後のＢ番目のシンボルよりも早くない。
【０１５８】
以上は図６〜図１０を参照し、端末デバイスから本願の実施例における端末デバイスのＤＣＩの受信の場合の制約条件の判断方式を説明するが、本発明の実施例はこれに限定されない。図６に示すように、本発明の実施例の方法がネットワークデバイスにも応用される。したがって、ネットワークデバイスが端末デバイスに少なくとも１つのＤＣＩを送信し、該ネットワークデバイスが目標時間ユニットで伝送される複数の上りチャネル／信号を決定し、該複数の上りチャネル／信号が時間領域において少なくとも一部が重複され、該少なくとも１つのＤＣＩは、該複数の上りチャネル／信号内の少なくとも１つの上り信号／信号を示し、該複数の上りチャネル／信号が制約条件を満たす場合、該ネットワークデバイスが該目標時間ユニット内の１つのチャネル／信号を受信し、該複数の上りチャネル／信号に搬送される情報は、該１つのチャネル／信号に多重して伝送される。ここで、該制約条件は、
該複数の上りチャネル／信号のうちの最も早い上りチャネル／信号の１番目のシンボルが該少なくとも１つのＤＣＩを搬送するＰＤＣＣＨの最後のシンボルの後のＡ番目のシンボルよりも早くなく、該Ａが非負の整数であることを含む。
【０１５９】
任意選択で、該Ａ＝Ｎ２＋１であり、ここで、Ｎ２はＰＵＳＣＨスケジューリングするの準備時間である。
【０１６０】
任意選択で、Ａ＝Ｎ２＋ｄ２，１であり、Ｎ２はＰＵＳＣＨの準備時間（ｐｒｅｐａｒａｔｉｏｎ ｔｉｍｅ）である。
【０１６１】
任意選択で、ｄ２，１の値は、ＰＵＳＣＨにおける復調参照信号( Ｄｅｍｏｄｕｌａｔｉｏｎ Ｒｅｆｅｒｅｎｃｅ Ｓｉｇｎａｌ、ＤＭＲＳ )構造に関連する。たとえば、ＰＵＳＣＨにおける第１の時間領域シンボルのみがＤＭＲＳを含む場合、ｄ２，１＝０であり、そうでない場合、ｄ２，１＝１である。
【０１６２】
任意選択で、該複数の上りチャネル／信号は、目標ＰＤＳＣＨに対応するＡＣＫ／ＮＡＣＫ情報を搬送する少なくとも１つのＰＵＣＣＨを含み、ここで、該制約条件は、さらに、
該複数の上りチャネル／信号のうちの最も早い上りチャネル／信号の１番目のシンボルが該少なくとも１つの目標ＰＤＳＣＨの最後のシンボルの後のＢ番目のシンボルよりも早くなく、該Ｂが非負の整数である。
【０１６３】
任意選択で、該Ｂ＝Ｎ１＋１＋ｄ１，２、Ｎ１がＰＤＳＣＨ処理時間である。
【０１６４】
任意選択で、ｂ＝ Ｎ２＋ｄ１，１＋ｄ１，２であり、Ｎ1がＰＤＳＣＨの処理時間である。
【０１６５】
任意選択で、ｄ１，１の値は、対応するＡＣＫ／ＮＡＣＫの伝送方式に関する。例えば、ＰＵＣＣＨで対応するＡＣＫ／ＮＡＣＫを伝送する場合、ｄ１，１＝０、ＰＵＳＣＨを使用してＡＣＫ／ＮＡＣＫに対応する伝送を行う場合、ｄ１，１＝１である。
【０１６６】
任意選択で、ｄ１，２の値はＰＤＳＣＨマッピング方式に関連する。例えば、ＰＤＳＣＨマッピング方法が３ ＧＰＰ技術仕様( ＴＳ ) ３８.２１１の第７.４.１.１セクションによって規定されるマッピングタイプＡであり、ＰＤＳＣＨの最後のシンボルが７未満のスロットの第i番目のシンボルである場合、ｄ１,２＝７-i。また、例えば、ＰＤＳＣＨマッピング方式が３ ＧＰＰ技術仕様( ＴＳ ) ３８.２１１の第７.４.１.１セクションにより規定されるマッピングタイプＢであり、割り当てられるＰＤＳＣＨシンボル数が４である場合、ｄ１，２＝３である。また、例えば、ＰＤＳＣＨマッピング方法が３ ＧＰＰ技術仕様( ＴＳ ) ３８.２１１の第７.４.１.１節により規定されるマッピングタイプＢであり、割り当てられたＰＤＳＣＨシンボルの数が２である場合、ｄ１，２＝３＋ｄがあり、ここで、ｄは、スケジューリングＰＤＣＣＨと割り当てられたＰＤＳＣＨとの重複シンボルの数である。また例えば、ＰＤＳＣＨマッピング方式が上記マッピングタイプＡでも上記マッピングタイプＢでもなければ、ｄ１，２＝０である。
【０１６７】
任意選択で、該少なくとも１つのＤＣＩは、
ＰＵＳＣＨをスケジューリングするＤＣＩ、該複数の上りチャネル／信号が該ＰＵＳＣＨを含み、及び／又は、下り準持続ＤＬ ＳＰＳリソース解放を示すためのＤＣＩを含み、該複数の上りチャネル／信号がＤＬ ＳＰＳリソース解放を示すＤＣＩに対応するＡＣＫ／ＮＡＣＫ情報を搬送するＰＵＣＣＨを含み、及び／又は、ＰＤＳＣＨをスケジューリングするＤＣＩを含み、該複数の上りチャネル／信号が該ＰＤＳＣＨに対応するＡＣＫ／ＮＡＣＫ情報を搬送するＰＵＣＣＨを含む。
【０１６８】
任意選択で、該上りチャネル／信号は、
動的スケジューリング物理上り共有チャネル（ＰＵＳＣＨ）、準持続スケジューリングＰＵＳＣＨ（Ｓｅｍｉ−Ｐｅｒｓｉｓｔｅｎｔ ＰＵＳＣＨ、ＳＰＳ ＰＵＳＣＨ）、準持続スケジューリング物理下り共有チャネル（ＳＰＳ−ＰＤＳＣＨ）に対応する確認／非確認（ＡＣＫ／ＮＡＣＫ）情報を搬送する物理上り制御チャネル（ＰＵＣＣＨ）、周期チャネル状態情報（Ｐｅｒｓｉｓｔｅｎｔ Ｃｈａｎｎｅｌ Ｓｔａｔｅ Ｉｎｆｏｒｍａｔｉｏｎ、Ｐ−ＣＳＩ）を搬送する物理上り制御チャネル（ＰＵＣＣＨ）、準持続的チャネル状態情報（Ｓｅｍｉ−Ｐｅｒｓｉｓｔｅｎｔ Ｃｈａｎｎｅｌ Ｓｔａｔｅ Ｉｎｆｏｒｍａｔｉｏｎ、ＳＰＳ−ＣＳＩ）を搬送する物理上り制御チャネル（ＰＵＣＣＨ）、準持続的チャネル状態情報（ＳＰＳ−ＣＳＩ）を搬送する物理上り共有チャネル（ＰＵＳＣＨ）、及びスケジューリング要求（Ｓｃｈｅｄｕｌｉｎｇ Ｒｅｑｕｅｓｔ、ＳＲ）を搬送する物理上り制御チャネル（ＰＵＣＣＨ）を含む。
【０１６９】
本発明の実施例において、該複数の上りチャネル／信号が３つ以上の上りチャネル／信号を含み、この場合、該端末デバイス又は該ネットワークデバイスは、該複数の上りチャネル／信号から実際の伝送に使用される上りチャネル／信号を決定する必要がある。
【０１７０】
以下、該複数の上りチャネル／信号が少なくとも１つのＰＵＣＣＨ及び複数のＰＵＳＣＨを含み、該少なくとも１つのＰＵＣＣＨに搬送される上り制御情報が該複数のＰＵＳＣＨの目標ＰＵＳＣＨに多重して伝送することを例として説明する
図１１及び図１２は、本発明の実施例による目標ＰＵＳＣＨの決定のフローチャートである。図１１及び図１２に示す端末デバイスは、図１に示す端末デバイスであってもよく、図１１及び図１２に示すネットワークデバイスは、図１に示すアクセスネットワークデバイスであってもよい。
【０１７１】
図１１に示すように、実行主体が端末デバイスであることを例とし、方法４００は、以下の少なくとも一部を含む。
【０１７２】
Ｓ４１０において、端末デバイスが少なくとも１つのＰＵＣＣＨ及び複数のＰＵＳＣＨを決定し、該少なくとも１つのＰＵＣＣＨと該複数のＰＵＳＣＨとが時間領域において少なくとも一部が重複される。
【０１７３】
Ｓ４２０において、該端末デバイスが該複数のＰＵＳＣＨから制約条件を満たしているＰＵＳＣＨを決定する。
【０１７４】
Ｓ４３０において、該端末デバイスが該制約条件を満たしているＰＵＳＣＨから目標ＰＵＳＣＨを決定する。
【０１７５】
Ｓ４７０、該端末デバイスは、該目標ＰＵＳＣＨを利用して該少なくとも１つのＰＵＣＣＨに搬送される上り制御情報を伝送する。
【０１７６】
従って、実行主体がネットワークデバイスであることを例とし、方法４００は、以下の少なくとも一部を含む。
【０１７７】
Ｓ４４０において、少なくとも１つのＰＵＣＣＨ及び複数のＰＵＳＣＨを決定し、該少なくとも１つのＰＵＣＣＨと該複数のＰＵＳＣＨとが時間領域において少なくとも一部が重複される。
【０１７８】
Ｓ４５０において、該複数のＰＵＳＣＨから制約条件を満たしているＰＵＳＣＨを決定する。
【０１７９】
Ｓ４６０において、該制約条件を満たしているＰＵＳＣＨから目標ＰＵＳＣＨを決定する。
【０１８０】
Ｓ４７０において、該目標ＰＵＳＣＨを利用して該少なくとも１つのＰＵＣＣＨに搬送される上り制御情報を伝送する。
【０１８１】
任意選択で、該目標ＰＵＳＣＨは、該制約条件を満たしているＰＵＳＣＨのうちの最も早いＰＵＳＣＨである。具体的に、１つのＰＵＣＣＨと複数のＰＵＳＣＨとが時間領域において重複される場合、端末デバイス又はネットワークデバイスは、該複数のＰＵＳＣＨのうちの制約条件を満たす１番目のＰＵＳＣＨを選択して該ＰＵＣＣＨ内のコンテンツを搬送する。
【０１８２】
任意選択で、該目標ＰＵＳＣＨは、該制約条件を満たしているＰＵＳＣＨのいずれかのＰＵＳＣＨである。
【０１８３】
つまり、端末デバイス又はネットワークデバイスは、時間領域において少なくとも一部が重複される少なくとも１つのＰＵＣＣＨ及び複数のＰＵＳＣＨを決定してから、該複数のＰＵＳＣＨから制約条件を満たしているＰＵＳＣＨを決定し、さらに、該制約条件を満たしているＰＵＳＣＨから目標ＰＵＳＣＨを決定する。さらに、目標ＰＵＳＣＨを決定した後、該端末デバイスは、該目標ＰＵＳＣＨを利用して該少なくとも１つのＰＵＣＣＨに搬送される上り制御情報を伝送し、ネットワークデバイスは、該目標ＰＵＳＣＨを受信し、なお、該制約条件は、上記の任意の制約条件であり、簡潔するために、ここで説明を省略する。
【０１８４】
図１２に示すように、実行主体が端末デバイスであることを例とし、方法４００は、以下の少なくとも一部を含む。
【０１８５】
Ｓ５１０において、端末デバイスが少なくとも１つのＰＵＣＣＨ及び複数のＰＵＳＣＨを決定し、該少なくとも１つのＰＵＣＣＨと該複数のＰＵＳＣＨとが時間領域において少なくとも一部が重複され、該少なくとも１つのＰＵＣＣＨと該複数のＰＵＳＣＨとが制約条件を満たす。
【０１８６】
Ｓ５２０において、該端末デバイスが該複数のＰＵＳＣＨから目標ＰＵＳＣＨを決定する。
【０１８７】
Ｓ５５０において、該端末デバイスが該目標ＰＵＳＣＨを利用して該少なくとも１つのＰＵＣＣＨに搬送される上り制御情報を伝送する。
【０１８８】
従って、実行主体がネットワークデバイスであることを例とし、方法４００は、以下の少なくとも一部を含む
Ｓ５３０において、ネットワークデバイスが少なくとも１つのＰＵＣＣＨ及び複数のＰＵＳＣＨを決定し、該少なくとも１つのＰＵＣＣＨと該複数のＰＵＳＣＨとが時間領域において少なくとも一部が重複され、該少なくとも１つのＰＵＣＣＨと該複数のＰＵＳＣＨとが制約条件を満たす。
【０１８９】
Ｓ５４０において、該ネットワークデバイスが該複数のＰＵＳＣＨから目標ＰＵＳＣＨを決定する。
【０１９０】
Ｓ５５０において、該ネットワークデバイスが該目標ＰＵＳＣＨを利用して該少なくとも１つのＰＵＣＣＨに搬送される上り制御情報を伝送する。
【０１９１】
任意選択で、該目標ＰＵＳＣＨは、該制約条件を満たしているＰＵＳＣＨのうちの最も早いＰＵＳＣＨである。具体的に、１つのＰＵＣＣＨと複数のＰＵＳＣＨとが時間領域において重複される場合、端末デバイス又はネットワークデバイスは、該複数のＰＵＳＣＨにおいて制約条件を満たす１番目のＰＵＳＣＨを選択して該ＰＵＣＣＨのコンテンツを搬送する。
【０１９２】
任意選択で、該目標ＰＵＳＣＨは、該制約条件を満たしているＰＵＳＣＨのいずれかのＰＵＳＣＨである。
【０１９３】
つまり、端末デバイス又はネットワークデバイスは、時間領域において少なくとも一部が重複される少なくとも１つのＰＵＣＣＨ及び複数のＰＵＳＣＨを決定し、該少なくとも１つのＰＵＣＣＨと該複数のＰＵＳＣＨとが制約条件を満たし、次に、該制約条件を満たしているＰＵＳＣＨから目標ＰＵＳＣＨを決定する。さらに、目標ＰＵＳＣＨを決定した後、該端末デバイスは、該目標ＰＵＳＣＨを利用して該少なくとも１つのＰＵＣＣＨに搬送される上り制御情報を伝送し、ネットワークデバイスは、該目標ＰＵＳＣＨを受信し、なお、該制約条件は、上記の任意の制約条件であり、簡潔するために、ここで説明を省略する。
【０１９４】
図１３は、本発明の実施例における該複数の上りチャネル／信号が少なくとも１つのＰＵＣＣＨ及び複数のＰＵＳＣＨを含む場合、目標ＰＵＳＣＨの決定のブロック図である。
【０１９５】
図１３に示すように、端末デバイスが受信したＤＣＩが、ＤＣＩ ２、ＤＣＩ ３及びＤＣＩ ４を含み、ここで、該ＤＣＩ ２は、ＰＵＳＣＨ ２をスケジューリングするＤＣＩであり、該複数の上りチャネル／信号が該ＰＵＳＣＨ ２を含む。該ＤＣＩ ３は、ＰＵＳＣＨ ３をスケジューリングするＤＣＩであり、該複数の上りチャネル／信号が該ＰＵＳＣＨ ３を含む。該ＤＣＩ ４は、ＰＤＳＣＨをスケジューリングするＤＣＩであり、該複数の上りチャネル／信号が該ＰＤＳＣＨに対応するＡＣＫ／ＮＡＣＫ情報を搬送するＰＵＣＣＨを含む。なお、該複数の上りチャネル／信号がＰＵＳＣＨ １（例えば周期上りチャネル／信号）を含む。
【０１９６】
図１３に示されるように、Ａ１、Ｂ１、Ａ２、Ｂ２、Ａ３及びＢ３がいずれも本発明の実施例に係る制約条件を満たすならば、ＰＵＳＣＨ１が目標ＰＵＳＣＨとして特定される。Ａ１及び/又はＢ１がこの制約条件を満たされず、且つＡ２、Ｂ２、Ａ３及びＢ３がいずれも本発明の実施例に係る制約条件を満たしている場合、ＰＵＳＣＨ２が目標ＰＵＳＣＨとして特定される。Ａ１及び/又はＢ１がこの制約条件を満たされず、かつＡ２及び/又はＢ２がこの制約条件を満たされず、かつＡ３及び/又はＢ３のいずれもが本発明の実施例に係る制約条件を満たしている場合、ＰＵＳＣＨ３が目標ＰＵＳＣＨとして特定される。
【０１９７】
以上、添付図面を参照しながら本発明の好適な実施例について詳細に説明したが、本発明はかかる例に限定されないことは言うまでもない。本発明の技術的思想の範囲内において、本発明の技術的思想は、以下のような種々の変形が可能である。
【０１９８】
例えば、上述の詳細な説明に記載された個々の特定の技術的特徴は、矛盾なき限り、任意の適切な方法で組み合わせることができ、不必要な重複を避けるために、本出願では、様々な可能な組み合わせを別途説明することはしない。また例えば、本発明の思想に反しない限り、本発明の様々な実施例を任意に組み合わせることも可能であり、それらも本発明の開示内容とみなされるべきである。
【０１９９】
なお、本発明の様々な方法の実施例において、上述のプロセスの順序の大きさは、実行順序の先後を意味するものではなく、各プロセスの実行順序は、その機能及び内部ロジックにおいて決定されるべきであり、本発明の実施例のプロセスを何ら限定するものではない
本発明の方法の実施例は、図１〜図１３に関連して上記で詳細に説明され、本発明の装置の実施例は、図１４〜図１７に関連して以下で詳細に説明される。
【０２００】
図１４は本発明の実施例における通信デバイス６００のブロック図である。
【０２０１】
具体的に、図１４に示すように、該通信デバイス６００は、
決定ユニット６１０及び通信ユニット６２０を含む。ここで、決定ユニット６１０は、通信デバイス６００の内部動作を行い、通信ユニット６２０は、外部装置及び/又は内部装置と通信を行う。
【０２０２】
該通信デバイス６００が図１に示す端末デバイスであってもよく、本発明の実施例における端末デバイスによって実行するステップを実行する。
【０２０３】
ある実施例において、該決定ユニット６１０は、目標時間ユニットで伝送される複数の上りチャネル／信号を決定するように構成され、該複数の上りチャネル／信号が時間領域において少なくとも一部が重複され、該通信ユニット６２０は、該複数の上りチャネル／信号が制約条件を満たしている場合、該複数の上りチャネル／信号に搬送される情報を該目標時間ユニット内の１つのチャネル／信号に多重して伝送するように構成される。ここで、該制約条件は、該複数の上りチャネル／信号のうちの最も早い上りチャネル／信号の１番目のシンボルが目標チャネル／信号の開始時間の後、又は最後のシンボルの後のＡ番目のシンボルよりも早くなく、該Ａが非負の整数であることを含む。
【０２０４】
任意選択で、該制約条件は、さらに、該複数の上りチャネル／信号のうちの最も早い上りチャネル／信号の開始時間が該目標チャネル／信号の最後のシンボルの後のＢ番目のシンボルよりも早くなく、該Ｂが非負の整数であることを含む。
【０２０５】
任意選択で、該複数の上りチャネル／信号の各上りチャネル／信号が周期上りチャネル／信号である。
【０２０６】
任意選択で、該複数の上りチャネル／信号は、準持続スケジューリング物理下り共有チャネルＳＰＳ−ＰＤＳＣＨに対応する確認／非確認ＡＣＫ／ＮＡＣＫ情報を搬送する少なくとも１つの物理上り制御チャネルＰＵＣＣＨを含み、該目標チャネル／信号は、該少なくとも１つのＰＵＣＣＨに対応するＳＰＳ−ＰＤＳＣＨのうちの最後のＳＰＳ−ＰＤＳＣＨである。
【０２０７】
任意選択で、該複数の上りチャネル／信号が、準持続スケジューリング物理下り共有チャネルＳＰＳ−ＰＤＳＣＨに対応する確認／非確認ＡＣＫ／ＮＡＣＫ情報を搬送する物理上り制御チャネルＰＵＣＣＨを含まず、該目標チャネル／信号は、該目標時間ユニットの前に送信した該複数の上りチャネル／信号のうちの最後の上りチャネル／信号である。
【０２０８】
任意選択で、該決定ユニット６１０は、該複数の上りチャネル／信号が該制約条件を満たさないと決定する場合、該少なくとも１つのＰＵＣＣＨの１つのＰＵＣＣＨを伝送する。
【０２０９】
任意選択で、該決定ユニット６１０は、該複数の上りチャネル／信号が該制約条件を満たさないと決定する場合、該目標時間ユニットで伝送される複数の上りチャネル／信号がエラー状態にあると決定し、又は、該複数の上りチャネル／信号が該制約条件を満たさないと決定する場合、該複数の上りチャネル／信号のうちの最も早い１つの上りチャネル／信号を伝送する。
【０２１０】
任意選択で、該上りチャネル／信号は、
準持続スケジューリングＰＵＳＣＨ（Ｓｅｍｉ−Ｐｅｒｓｉｓｔｅｎｔ ＰＵＳＣＨ、ＳＰＳ ＰＵＳＣＨ）、準持続スケジューリング物理下り共有チャネル（ＳＰＳ−ＰＤＳＣＨ）に対応する確認／非確認（ＡＣＫ／ＮＡＣＫ）情報を搬送する物理上り制御チャネル（ＰＵＣＣＨ）、周期チャネル状態情報（Ｐｅｒｓｉｓｔｅｎｔ Ｃｈａｎｎｅｌ Ｓｔａｔｅ Ｉｎｆｏｒｍａｔｉｏｎ、Ｐ−ＣＳＩ）を搬送する物理上り制御チャネル（ＰＵＣＣＨ）、準持続的チャネル状態情報（Ｓｅｍｉ−Ｐｅｒｓｉｓｔｅｎｔ Ｃｈａｎｎｅｌ Ｓｔａｔｅ Ｉｎｆｏｒｍａｔｉｏｎ、ＳＰＳ−ＣＳＩ）を搬送する物理上り制御チャネル（ＰＵＣＣＨ）、準持続的チャネル状態情報（ＳＰＳ−ＣＳＩ）を搬送する物理上り共有チャネル（ＰＵＳＣＨ）、及びスケジューリング要求（Ｓｃｈｅｄｕｌｉｎｇ Ｒｅｑｕｅｓｔ、ＳＲ）を搬送する物理上り制御チャネル（ＰＵＣＣＨ）を含む。
【０２１１】
任意選択で、該Ａ＝Ｎ２＋１であり、Ｎ２が物理上り共有チャネルＰＵＳＣＨの準備時間である。
【０２１２】
任意選択で、該Ｂ＝Ｎ１＋１＋ｄ１，２、Ｎ１が物理下り共有チャネルＰＤＳＣＨの処理時間であり、ｄ１，２の値がＰＤＳＣＨマッピング方式に関連する。
【０２１３】
他の実施例において、該通信ユニット６２０は、少なくとも１つの下り制御情報ＤＣＩを受信し、目標時間ユニットで伝送される複数の上りチャネル／信号を決定するように構成され、該複数の上りチャネル／信号が時間領域において少なくとも一部が重複され、該少なくとも１つのＤＣＩは、該複数の上りチャネル／信号の少なくとも１つの上り信号／信号を示し、該複数の上りチャネル／信号が制約条件を満たす場合、該通信ユニット６２０は、さらに、該複数の上りチャネル／信号に搬送される情報を該目標時間ユニット内の１つのチャネル／信号に多重して伝送される。ここで、該制約条件は、
該複数の上りチャネル／信号のうちの最も早い上りチャネル／信号の１番目のシンボルが該少なくとも１つのＤＣＩを搬送する物理下り制御チャネルＰＤＣＣＨの最後のシンボルの後のＡ番目のシンボルよりも早くなく、該Ａが非負の整数であることを含む。
【０２１４】
任意選択で、該複数の上りチャネル／信号が目標物理下り共有チャネルＰＤＳＣＨに対応する確認／非確認ＡＣＫ／ＮＡＣＫ情報を搬送する少なくとも１つの物理上り制御チャネルＰＵＣＣＨを含み、ここで、該制約条件は、さらに、該複数の上りチャネル／信号のうちの最も早い上りチャネル／信号の１番目のシンボルが該少なくとも１つの目標ＰＤＳＣＨの最後のシンボルの後のＢ番目のシンボルよりも早くなく、該Ｂが非負の整数である。
【０２１５】
任意選択で、該少なくとも１つのＤＣＩは、
ＰＵＳＣＨをスケジューリングするＤＣＩを含み、該複数の上りチャネル／信号が該ＰＵＳＣＨを含み、及び／又は、下り準持続ＤＬ ＳＰＳリソース解放を示すためのＤＣＩを含み、該複数の上りチャネル／信号がＤＬ ＳＰＳリソース解放を示すＤＣＩに対応するＡＣＫ／ＮＡＣＫ情報を搬送するＰＵＣＣＨを含み、及び／又は、物理下り共有チャネルＰＤＳＣＨをスケジューリングするためのＤＣＩを含み、該複数の上りチャネル／信号が該ＰＤＳＣＨに対応するＡＣＫ／ＮＡＣＫ情報を搬送するＰＵＣＣＨを含む。
【０２１６】
任意選択で、該上りチャネル／信号は、
動的スケジューリング物理上り共有チャネル（ＰＵＳＣＨ）、準持続スケジューリングＰＵＳＣＨ（Ｓｅｍｉ−Ｐｅｒｓｉｓｔｅｎｔ ＰＵＳＣＨ、ＳＰＳ ＰＵＳＣＨ）、準持続スケジューリング物理下り共有チャネル（ＳＰＳ−ＰＤＳＣＨ）に対応する確認／非確認（ＡＣＫ／ＮＡＣＫ）情報を搬送する物理上り制御チャネル（ＰＵＣＣＨ）、周期チャネル状態情報（Ｐｅｒｓｉｓｔｅｎｔ Ｃｈａｎｎｅｌ Ｓｔａｔｅ Ｉｎｆｏｒｍａｔｉｏｎ、Ｐ−ＣＳＩ）を搬送する物理上り制御チャネル（ＰＵＣＣＨ）、準持続的チャネル状態情報（Ｓｅｍｉ−Ｐｅｒｓｉｓｔｅｎｔ Ｃｈａｎｎｅｌ Ｓｔａｔｅ Ｉｎｆｏｒｍａｔｉｏｎ、ＳＰＳ−ＣＳＩ）を搬送する物理上り制御チャネル（ＰＵＣＣＨ）、準持続的チャネル状態情報（ＳＰＳ−ＣＳＩ）を搬送する物理上り共有チャネル（ＰＵＳＣＨ）、及びスケジューリング要求（Ｓｃｈｅｄｕｌｉｎｇ Ｒｅｑｕｅｓｔ、ＳＲ）を搬送する物理上り制御チャネル（ＰＵＣＣＨ）を含む。
【０２１７】
任意選択で、該Ａ＝Ｎ２＋１であり、Ｎ２が物理上り共有チャネルＰＵＳＣＨのスケジューリングの準備時間である。
【０２１８】
任意選択で、該Ｂ＝Ｎ１＋１＋ｄ１，２、Ｎ１がＰＤＳＣＨ処理時間であり、ｄ１,２の値が物理下り共有チャネルＰＤＳＣＨマッピング方式に関連する。
【０２１９】
他の実施例において、決定ユニット６１０は、
少なくとも１つの物理上り制御チャネルＰＵＣＣＨ及び複数の物理上り共有チャネルＰＵＳＣＨを決定し、該少なくとも１つのＰＵＣＣＨと該複数のＰＵＳＣＨとが時間領域において少なくとも一部が重複され、該複数のＰＵＳＣＨから制約条件を満たしているＰＵＳＣＨを決定し、該制約条件を満たしているＰＵＳＣＨから目標ＰＵＳＣＨを決定し、該通信ユニット６２０は、該目標ＰＵＳＣＨを利用して該少なくとも１つのＰＵＣＣＨに搬送される上り制御情報を伝送するように構成される。
【０２２０】
ここで、該制約条件は、上記の無線通信方法のいずれかの制約条件である。
【０２２１】
任意選択で、該目標ＰＵＳＣＨは、該制約条件を満たしているＰＵＳＣＨのうちの最も早いＰＵＳＣＨである。
【０２２２】
任意選択で、該目標ＰＵＳＣＨは、該制約条件を満たしているＰＵＳＣＨのいずれかのＰＵＳＣＨである。
【０２２３】
他の実施例において、決定ユニット６１０は、少なくとも１つの物理上り制御チャネルＰＵＣＣＨ及び複数の物理上り共有チャネルＰＵＳＣＨを決定し、該少なくとも１つのＰＵＣＣＨと該複数のＰＵＳＣＨとが時間領域において少なくとも一部が重複され、該少なくとも１つのＰＵＣＣＨと該複数のＰＵＳＣＨとが制約条件を満たし、該複数のＰＵＳＣＨから目標ＰＵＳＣＨを決定するように構成され、該通信ユニット６２０は、該目標ＰＵＳＣＨを利用して該少なくとも１つのＰＵＣＣＨに搬送される上り制御情報を伝送するように構成され、ここで、該制約条件は、上記の無線通信方法のいずれかの制約条件である。
【０２２４】
任意選択で、該目標ＰＵＳＣＨは、該制約条件を満たしているＰＵＳＣＨのうちの最も早いＰＵＳＣＨである。
【０２２５】
任意選択で、該目標ＰＵＳＣＨは、該制約条件を満たしているＰＵＳＣＨのいずれかのＰＵＳＣＨである。
【０２２６】
図１４に示す通信デバイス６００は、図１に示すネットワークデバイスであってもよく、本発明の実施例におけるネットワークデバイスによって実行するステップを実行する。
【０２２７】
ある実施例において、該決定ユニット６１０は、目標時間ユニットで伝送される複数の上りチャネル／信号を決定するように構成され、該複数の上りチャネル／信号が時間領域において少なくとも一部が重複され、該複数の上りチャネル／信号が制約条件を満たしている場合、該通信ユニット６２０は、該目標時間ユニット内の１つのチャネル／信号を受信し、該複数の上りチャネル／信号に搬送される情報を該１つのチャネル／信号に多重して伝送される。ここで、該制約条件は、該複数の上りチャネル／信号のうちの最も早い上りチャネル／信号の１番目のシンボルが目標チャネル／信号の開始時間の後、又は最後のシンボルの後のＡ番目のシンボルよりも早くなく、該Ａが非負の整数であることを含む。
【０２２８】
任意選択で、該制約条件は、さらに、該複数の上りチャネル／信号のうちの最も早い上りチャネル／信号の開始時間が該目標チャネル／信号の最後のシンボルの後のＢ番目のシンボルよりも早くなく、該Ｂが非負の整数であることを含む。
【０２２９】
任意選択で、該複数の上りチャネル／信号の各上りチャネル／信号が周期上りチャネル／信号である。
【０２３０】
任意選択で、該複数の上りチャネル／信号は、準持続スケジューリング物理下り共有チャネルＳＰＳ−ＰＤＳＣＨに対応する確認／非確認ＡＣＫ／ＮＡＣＫ情報を搬送する少なくとも１つの物理上り制御チャネルＰＵＣＣＨを含み、該目標チャネル／信号は、該少なくとも１つのＰＵＣＣＨに対応するＳＰＳ−ＰＤＳＣＨのうちの最後のＳＰＳ−ＰＤＳＣＨである。
【０２３１】
任意選択で、該複数の上りチャネル／信号が準持続スケジューリング物理下り共有チャネルＳＰＳ−ＰＤＳＣＨに対応する確認／非確認ＡＣＫ／ＮＡＣＫ情報を搬送する物理上り制御チャネルＰＵＣＣＨを含まず、該目標チャネル／信号は、該目標時間ユニットの前に受信した該複数の上りチャネル／信号のうちの最後の上りチャネル／信号である。
【０２３２】
任意選択で、該決定ユニット６１０は、該複数の上りチャネル／信号が該制約条件を満たさないと決定する場合、該通信ユニット６２０は、該少なくとも１つのＰＵＣＣＨの１つのＰＵＣＣＨを受信するように構成される。
【０２３３】
任意選択で、該決定ユニット６１０は、該複数の上りチャネル／信号が該制約条件を満たさないと決定する場合、該目標時間ユニットで伝送される複数の上りチャネル／信号がエラー状態にあると決定し、又は、該複数の上りチャネル／信号が該制約条件を満たさないと決定する場合、該通信ユニット６２０は、該複数の上りチャネル／信号のうちの最も早い１つの上りチャネル／信号を受信するように構成される。
【０２３４】
任意選択で、該上りチャネル／信号は、
準持続スケジューリングＰＵＳＣＨ（Ｓｅｍｉ−Ｐｅｒｓｉｓｔｅｎｔ ＰＵＳＣＨ、ＳＰＳ ＰＵＳＣＨ）、準持続スケジューリング物理下り共有チャネル（ＳＰＳ−ＰＤＳＣＨ）に対応する確認／非確認（ＡＣＫ／ＮＡＣＫ）情報を搬送する物理上り制御チャネル（ＰＵＣＣＨ）、周期チャネル状態情報（Ｐｅｒｓｉｓｔｅｎｔ Ｃｈａｎｎｅｌ Ｓｔａｔｅ Ｉｎｆｏｒｍａｔｉｏｎ、Ｐ−ＣＳＩ）を搬送する物理上り制御チャネル（ＰＵＣＣＨ）、準持続的チャネル状態情報（Ｓｅｍｉ−Ｐｅｒｓｉｓｔｅｎｔ Ｃｈａｎｎｅｌ Ｓｔａｔｅ Ｉｎｆｏｒｍａｔｉｏｎ、ＳＰＳ−ＣＳＩ）を搬送する物理上り制御チャネル（ＰＵＣＣＨ）、準持続的チャネル状態情報（ＳＰＳ−ＣＳＩ）を搬送する物理上り共有チャネル（ＰＵＳＣＨ）、及びスケジューリング要求（Ｓｃｈｅｄｕｌｉｎｇ Ｒｅｑｕｅｓｔ、ＳＲ）を搬送する物理上り制御チャネル（ＰＵＣＣＨ）を含む。
【０２３５】
任意選択で、該Ａ＝Ｎ２＋１であり、Ｎ２が物理上り共有チャネルＰＵＳＣＨの準備時間である。
【０２３６】
任意選択で、該Ｂ＝Ｎ１＋１＋ｄ１，２、Ｎ１が物理下り共有チャネルＰＤＳＣＨの処理時間であり、ｄ１，２の値がＰＤＳＣＨマッピング方式に関連する。
【０２３７】
他の実施例において、通信ユニット６２０は、端末デバイスに少なくとも１つの下り制御情報ＤＣＩを送信するように構成され、
決定ユニット６１０は、目標時間ユニットで伝送される複数の上りチャネル／信号を決定するように構成され、該複数の上りチャネル／信号が時間領域において少なくとも一部が重複され、該少なくとも１つのＤＣＩは、該複数の上りチャネル／信号のうちの少なくとも１つの上り信号／信号を示し、該複数の上りチャネル／信号が制約条件を満たしている場合、該通信ユニット６２０は、該目標時間ユニット内の１つのチャネル／信号を受信し、該複数の上りチャネル／信号に搬送される情報を１つのチャネル／信号に多重して伝送される。ここで、該制約条件は、
該複数の上りチャネル／信号のうちの最も早い上りチャネル／信号の１番目のシンボルが該少なくとも１つのＤＣＩを搬送する物理下り制御チャネルＰＤＣＣＨの最後のシンボルの後のＡ番目のシンボルよりも早くなく、該Ａが非負の整数であることを含む。
【０２３８】
任意選択で、該複数の上りチャネル／信号は、目標物理下り共有チャネルＰＤＳＣＨに対応する確認／非確認ＡＣＫ／ＮＡＣＫ情報を搬送する少なくとも１つの物理上り制御チャネルＰＵＣＣＨを含む。ここで、該制約条件は、さらに、該複数の上りチャネル／信号のうちの最も早い上りチャネル／信号の１番目のシンボルが該少なくとも１つの目標ＰＤＳＣＨの最後のシンボルの後のＢ番目のシンボルよりも早くなく、該Ｂが非負の整数である。
【０２３９】
任意選択で、該少なくとも１つのＤＣＩは、
ＰＵＳＣＨをスケジューリングするＤＣＩを含み、該複数の上りチャネル／信号が該ＰＵＳＣＨを含み、及び／又は、下り準持続ＤＬ ＳＰＳリソース解放を示すためのＤＣＩを含み、該複数の上りチャネル／信号がＤＬ ＳＰＳリソース解放を示すＤＣＩに対応するＡＣＫ／ＮＡＣＫ情報を搬送するＰＵＣＣＨを含み、及び／又は、物理下り共有チャネルＰＤＳＣＨをスケジューリングするためのＤＣＩを含み、該複数の上りチャネル／信号が該ＰＤＳＣＨに対応するＡＣＫ／ＮＡＣＫ情報を搬送するＰＵＣＣＨを含む。
【０２４０】
任意選択で、該上りチャネル／信号は、
動的スケジューリング物理上り共有チャネル（ＰＵＳＣＨ）、準持続スケジューリングＰＵＳＣＨ（Ｓｅｍｉ−Ｐｅｒｓｉｓｔｅｎｔ ＰＵＳＣＨ、ＳＰＳ ＰＵＳＣＨ）、準持続スケジューリング物理下り共有チャネル（ＳＰＳ−ＰＤＳＣＨ）に対応する確認／非確認（ＡＣＫ／ＮＡＣＫ）情報を搬送する物理上り制御チャネル（ＰＵＣＣＨ）、周期チャネル状態情報（Ｐｅｒｓｉｓｔｅｎｔ Ｃｈａｎｎｅｌ Ｓｔａｔｅ Ｉｎｆｏｒｍａｔｉｏｎ、Ｐ−ＣＳＩ）を搬送する物理上り制御チャネル（ＰＵＣＣＨ）、準持続的チャネル状態情報（Ｓｅｍｉ−Ｐｅｒｓｉｓｔｅｎｔ Ｃｈａｎｎｅｌ Ｓｔａｔｅ Ｉｎｆｏｒｍａｔｉｏｎ、ＳＰＳ−ＣＳＩ）を搬送する物理上り制御チャネル（ＰＵＣＣＨ）、準持続的チャネル状態情報（ＳＰＳ−ＣＳＩ）を搬送する物理上り共有チャネル（ＰＵＳＣＨ）、及びスケジューリング要求（Ｓｃｈｅｄｕｌｉｎｇ Ｒｅｑｕｅｓｔ、ＳＲ）を搬送する物理上り制御チャネル（ＰＵＣＣＨ）を含む。
【０２４１】
任意選択で、該Ａ＝Ｎ２＋１であり、Ｎ２が物理上り共有チャネルＰＵＳＣＨのスケジューリングの準備時間である。
【０２４２】
任意選択で、該Ｂ＝Ｎ１＋１＋ｄ１，２、Ｎ１がＰＤＳＣＨ処理時間であり、ｄ１,２の値が物理下り共有チャネルＰＤＳＣＨマッピング方式に関連する。
【０２４３】
他の実施例において、決定ユニット６１０は、少なくとも１つの物理上り制御チャネルＰＵＣＣＨ及び複数の物理上り共有チャネルＰＵＳＣＨを決定し、該少なくとも１つのＰＵＣＣＨと該複数のＰＵＳＣＨとが時間領域において少なくとも一部が重複され、該複数のＰＵＳＣＨから制約条件を満たしているＰＵＳＣＨを決定し、該制約条件を満たしているＰＵＳＣＨから目標ＰＵＳＣＨを決定するように構成され、該通信ユニット６２０は、該目標ＰＵＳＣＨを受信し、該少なくとも１つのＰＵＣＣＨに搬送される上り制御情報を該目標ＰＵＳＣＨに多重して伝送する。ここで、該制約条件は、上記の無線通信方法のいずれかの制約条件である。
【０２４４】
任意選択で、該目標ＰＵＳＣＨは、該制約条件を満たしているＰＵＳＣＨのうちの最も早いＰＵＳＣＨである。
【０２４５】
任意選択で、該目標ＰＵＳＣＨは、該制約条件を満たしているＰＵＳＣＨのいずれかのＰＵＳＣＨである。
【０２４６】
他の実施例において、決定ユニット６１０は、少なくとも１つの物理上り制御チャネルＰＵＣＣＨ及び複数の物理上り共有チャネルＰＵＳＣＨを決定し、該少なくとも１つのＰＵＣＣＨと該複数のＰＵＳＣＨとが時間領域において少なくとも一部が重複され、該少なくとも１つのＰＵＣＣＨと該複数のＰＵＳＣＨとが制約条件を満たし、該複数のＰＵＳＣＨから目標ＰＵＳＣＨを決定するように構成され、該通信ユニット６２０は、該目標ＰＵＳＣＨを受信し、該少なくとも１つのＰＵＣＣＨに搬送される上り制御情報を該目標ＰＵＳＣＨに多重して伝送される。ここで、該制約条件は、上記の無線通信方法のいずれかの制約条件である。
【０２４７】
任意選択で、該目標ＰＵＳＣＨは、該制約条件を満たしているＰＵＳＣＨのうちの最も早いＰＵＳＣＨである。
【０２４８】
任意選択で、該目標ＰＵＳＣＨは、該制約条件を満たしているＰＵＳＣＨのいずれかＰＵＳＣＨである。
【０２４９】
デバイスの実施例と方法の実施例とは互いに対応していてもよく、同様の説明は方法の実施例を参照してもよい。具体的には、図１４に示す通信デバイス６００は、本願の実施例の方法２００又は方法３００又は方法４００を実行するそれぞれの主体に対応することができ、通信デバイス６００におけるそれぞれのユニットの前述した及び他の動作及び/又は機能は、それぞれ、本発明の実施例におけるそれぞれの方法におけるそれぞれのフローを実施するために、簡潔のためにここでは詳しい説明を省略する。
【０２５０】
本発明の実施例による通信デバイスは、機能モジュールの観点から、図１４に関連して上述された。なお、この機能モジュールは、ハードウェアで実現してもよいし、ソフトウェアで実現してもよいし、ハードウェアとソフトウェアモジュールとを組み合わせて実現してもよい。
【０２５１】
具体的には、本発明の実施例における方法の実施例のステップは、プロセッサにおけるハードウェアの集積論理回路及び/又はソフトウェア形態の命令によって実行されてもよく、本発明の実施例に関連して開示された方法のステップは、ハードウェアデコーディングプロセッサによる実行として直接具体化されてもよく、又は、デコーディングプロセッサにおけるハードウェア及びソフトウェアモジュールの組み合わせで実行されてもよい。
【０２５２】
任意選択で、ソフトウェアモジュールは、ランダムアクセスメモリ、フラッシュメモリ、読み取り専用メモリ、プログラム可能読み取り専用メモリ、電気的消去可能プログラム可能メモリ、レジスタなどの当該技術分野の成熟した記憶媒体内に配置され得る。この記憶媒体は、メモリに位置し、プロセッサは、メモリ内の情報を読み取り、そのハードウェアとともに、上述した方法の実施例のステップを実行する。
【０２５３】
例えば、本発明の実施例において、図１４に示す決定ユニット６１０は、プロセッサによって実現されてもよく、図１４に示す通信ユニット６２０は、送受信機によって実現されてもよい。
【０２５４】
図１５は、本発明の実施例に係る通信デバイス７００の概略構成図である。図７に示す通信デバイス７００は、メモリからコンピュータプログラムを呼び出して実行することにより、本願の実施例における方法を実現するプロセッサ７１０を有する。
【０２５５】
任意選択で、図７に示すように、通信デバイス７００は、メモリ７２０をさらに含んでもよい。メモリ７２０は、指示情報を記憶するために使用されてもよく、プロセッサ７１０によって実行されるコード、命令などを記憶するために使用されてもよい。プロセッサ７１０は、メモリ７２０からコンピュータプログラムを呼び出して実行することにより、本願の実施例における方法を実現することができる。
【０２５６】
ここで、メモリ７２０は、プロセッサ７１０とは独立した別個の部品であってもよく、プロセッサ７１０に集積されていてもよい。
【０２５７】
任意選択で、図７に示すように、通信デバイス７００は、プロセッサ７１０が他の装置と通信するように制御することができる、具体的には、他の装置に情報又はデータを送信することができる、又は他の装置によって送信された情報又はデータを受信することができる、送受信機７３０を更に含むことができる。
【０２５８】
送受信機７３０は、送信機および受信機を含み得る。送受信機７３０は、１つまたは複数の数のアンテナをさらに含むことができる。
【０２５９】
任意選択で、通信デバイス７００は、本発明の実施例のネットワークデバイスであってもよく、通信デバイス７００は、本発明の実施例の様々な方法においてネットワークデバイスによって実施される対応するフローを実施してもよい。
【０２６０】
任意選択で、通信デバイス７００は、本願の実施例の端末デバイスであってもよく、通信デバイス７００は、本願の実施例の様々な方法において端末デバイスによって実施される対応するフローを実施してもよい。
【０２６１】
すなわち、本発明の実施例に係る通信デバイス７００は、本発明の実施例に係る通信デバイス６００に対応することができ、本発明の実施例に係る方法２００又は方法３００又は方法４００を実行する対応する主体に対応することができるが、簡潔のために、ここで説明を省略する。
【０２６２】
なお、通信デバイス７００の各構成要素は、データバスの他に、電源バス、制御バス、ステータス信号バスなどのバスシステムにより接続されている。
【０２６３】
さらに、本発明の実施例において、本発明の実施例に開示された方法、ステップ、および論理ブロック図を実施または実行することができる信号の処理能力を有する集積回路チップであり得るチップも提供される。
【０２６４】
任意選択で、チップは、様々な通信デバイスに適用されてもよく、チップが搭載された通信デバイスが、本発明の実施例において開示された様々な方法、ステップ、および論理ブロック図を実行することを可能にする。
【０２６５】
図１６は、本願の実施の形態におけるチップの概略構成図である。図１６に示されるチップ８００は、メモリからコンピュータプログラムを呼び出して実行することにより、本願の実施例における方法を実行することができるプロセッサ８１０を含む。
【０２６６】
任意選択で、図１６に示されるように、チップ８００は、メモリ８２０をさらに含んでもよい。プロセッサ８１０は、メモリ８２０からコンピュータプログラムを呼び出して実行することにより、本願の実施例における方法を実現することができる。このメモリ６２０は、指示情報を記憶するために使用されてもよく、プロセッサ６１０によって実行されるコード、命令などを記憶するために使用されてもよい。ここで、メモリ８２０は、プロセッサ８１０とは独立した１つの別個のデバイスであってもよく、プロセッサ８１０に集積されてもよい。
【０２６７】
任意選択で、チップ８００は、入力インターフェース８３０をさらに含むことができる。プロセッサ８１０は、入力インターフェース８３０を制御して他のデバイスまたはチップと通信してもよく、具体的には、他のデバイスまたはチップによって送信された情報またはデータを取得してもよい。
【０２６８】
任意選択で、チップ８００は、出力インターフェース８４０も含み得る。プロセッサ８１０は、出力インターフェース８４０を制御して、他のデバイスまたはチップと通信してもよく、具体的には、情報またはデータを他のデバイスまたはチップに出力してもよい。
【０２６９】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０２７０】
任意選択で、チップは、本願の実施例における端末デバイスに適用されてもよく、チップは、本願の実施例の様々な方法において端末デバイスによって実施される対応するフローを実施してもよく、簡潔にするためにここでは詳しい説明を省略する。
【０２７１】
なお、本願の実施例で言及されるチップは、システムレベルチップ、システムチップ、チップシステム、システムオンチップなどと呼ばれることもあることを理解されたい。また、チップ８００内の各構成要素は、データバスに加えて、電源バス、制御バス、および状態信号バスを含むバスシステムによって接続される
本発明の実施例で言及されるプロセッサは、汎用プロセッサ、デジタル信号プロセッサ( ｄｉｇｉｔａｌ  ｓｉｇｎａｌ  ｐｒｏｃｅｓｓｏｒ、ＤＳＰ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、既製のプログラマブルゲートアレイ( ｆｉｅｌｄ ｐｒｏｇｒａｍｍａｂｌｅ ｇａｔｅ ａｒｒａｙ、ＦＰＧＡ )又は他のプログラマブル論理デバイス、トランジスタロジック、ディスクリートハードウェアコンポーネント等であり得る。また、汎用プロセッサはマイクロプロセッサであってもよく、プロセッサは汎用のプロセッサ等であればよい。
【０２７２】
また、本発明の実施の形態でいうメモリは、揮発性メモリであっても不揮発性メモリであってもよく、揮発性メモリと不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( ｒａｎｄｏｍ ａｃｃｅｓｓ ｍｅｍｏｒｙ、ＲＡＭ )であってよい。
【０２７３】
上述のメモリは、限定ではなく例示的であるが、例えば、本発明の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )等であってもよいことを理解されたい。すなわち、本明細書に記載のシステム及び方法のメモリは、これら及び任意の他の適切なタイプのメモリを含むことを意図しているが、これらに限定されない。
【０２７４】
図１７は、本発明の実施例による通信システム９００の概略的なブロック図である。図９に示すように、通信システム９００は、端末デバイス９１０と、ネットワークデバイス９２０とを有する。
【０２７５】
ある実施例において、該端末デバイス９１０は、目標時間ユニットで伝送される複数の上りチャネル／信号を決定し、該複数の上りチャネル／信号が制約条件を満たしている場合、該複数の上りチャネル／信号に搬送される情報を該目標時間ユニット内の１つのチャネル／信号に多重して伝送し、該複数の上りチャネル／信号が時間領域において少なくとも一部が重複され、該ネットワークデバイスは、該複数の上りチャネル／信号を決定し、該複数の上りチャネル／信号が制約条件を満たしている場合、該目標時間ユニット内の１つのチャネル／信号を受信する。ここで、該制約条件は、該複数の上りチャネル／信号のうちの最も早い上りチャネル／信号の１番目のシンボルが目標チャネル／信号の開始時間の後、又は最後のシンボルの後のＡ番目のシンボルよりも早くなく、該Ａが非負の整数であることを含む。
【０２７６】
他の実施例において、該端末デバイス９１０は、少なくとも１つの下り制御情報ＤＣＩを受信し、目標時間ユニットで伝送される複数の上りチャネル／信号を決定し、該複数の上りチャネル／信号が時間領域において少なくとも一部が重複され、該少なくとも１つのＤＣＩは、該複数の上りチャネル／信号の少なくとも１つの上り信号／信号を示し、該複数の上りチャネル／信号が制約条件を満たしている場合、該複数の上りチャネル／信号に搬送される情報を該目標時間ユニット内の１つのチャネル／信号に多重して伝送し、該ネットワークデバイス９２０は、端末デバイス９１０に該少なくとも１つのＤＣＩを送信し、該複数の上りチャネル／信号を決定し、該複数の上りチャネル／信号が該制約条件を満たしている場合、該目標時間ユニット内の１つのチャネル／信号を受信し、ここで、該制約条件は、該複数の上りチャネル／信号のうちの最も早い上りチャネル／信号の１番目のシンボルが該少なくとも１つのＤＣＩを搬送する物理下り制御チャネルＰＤＣＣＨの最後のシンボルの後のＡ番目のシンボルよりも早くなく、該Ａが非負の整数であることを含む。
【０２７７】
他の実施例において、該端末デバイス９１０は、少なくとも１つの物理上り制御チャネルＰＵＣＣＨ及び複数の物理上り共有チャネルＰＵＳＣＨを決定し、該少なくとも１つのＰＵＣＣＨと該複数のＰＵＳＣＨとが時間領域において少なくとも一部が重複され、該複数のＰＵＳＣＨから制約条件を満たしているＰＵＳＣＨを決定し、該制約条件を満たしているＰＵＳＣＨから目標ＰＵＳＣＨを決定し、該目標ＰＵＳＣＨを利用して該少なくとも１つのＰＵＣＣＨに搬送される上り制御情報を伝送し、ここで、該制約条件は、上記のいずれかの制約条件であり、該ネットワークデバイス９２０は、該少なくとも１つのＰＵＣＣＨ及び該複数のＰＵＳＣＨを決定し、該少なくとも１つのＰＵＣＣＨと該複数のＰＵＳＣＨとが時間領域において少なくとも一部が重複され、該複数のＰＵＳＣＨから制約条件を満たしているＰＵＳＣＨを決定し、該制約条件を満たしているＰＵＳＣＨから目標ＰＵＳＣＨを決定し、該目標ＰＵＳＣＨを受信する。
【０２７８】
他の実施例において、該端末デバイス９１０は、少なくとも１つの物理上り制御チャネルＰＵＣＣＨ及び複数の物理上り共有チャネルＰＵＳＣＨを決定し、該少なくとも１つのＰＵＣＣＨと該複数のＰＵＳＣＨとが時間領域において少なくとも一部が重複され、該少なくとも１つのＰＵＣＣＨと該複数のＰＵＳＣＨとが制約条件を満たし、該複数のＰＵＳＣＨから目標ＰＵＳＣＨを決定し、該目標ＰＵＳＣＨを利用して該少なくとも１つのＰＵＣＣＨに搬送される上り制御情報を伝送し、ここで、該制約条件は、上記のいずれかの制約条件であり、該ネットワークデバイス９２０は、該少なくとも１つのＰＵＣＣＨ及び該複数のＰＵＳＣＨを決定し、該複数のＰＵＳＣＨから目標ＰＵＳＣＨを決定し、該目標ＰＵＳＣＨを受信するように構成される。
【０２７９】
ここで、該端末デバイス９１０は、上記方法２００〜４００のうち、端末デバイスにより実現される対応する機能を実現するために使用されてもよく、且つ、該端末デバイス９１０は、図１４に示す通信デバイス６００又は図１５に示す通信デバイス７００を構成してもよく、簡潔にするために、ここでその説明を省略する。
【０２８０】
ネットワークデバイス９２０は、上述した方法xx〜xxにおいてネットワークデバイスによって実施される対応する機能を実施するために使用されてもよく、図１４に示される通信デバイス６００または図１５に示される通信デバイス７００を構成してもよいが、簡潔にするために、ここでその説明を省略する。
【０２８１】
なお、本明細書において「システム」等の用語は、「ネットワークマネジメントアーキテクチャ」又は「ネットワークシステム」等と称されてもよい。
【０２８２】
本発明の実施例及び添付の特許請求の範囲で使用される用語は、特定の実施例を説明する目的のためだけであり、本発明の実施例を限定することを意図していない
。例えば、本発明の実施例及び添付の特許請求の範囲で使用される単数形の「１つ」、「前記」、「上記」、及び「該」は、文脈が他の意味を明確に示しない限り、複数形も含むことを意図している。
【０２８３】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用することができるが、そのような実施は、本発明の実施例の範囲から逸脱するものと考えられるべきではない。
【０２８４】
ソフトウェア機能単位で実現され、独立した製品として販売又は使用される場合、コンピュータ読み取り可能な記録媒体に格納されてもよい。このような理解に基づいて、本発明の実施例の技術的思想の本質または従来技術に寄与する部分、または技術的思想の部分は、１つのコンピュータ装置(パーソナルコンピュータ、サーバ、またはネットワークデバイスなどであってもよい)に本発明の実施例に係る方法のステップの全部または一部を実行させるための複数の命令を含む１つの記憶媒体に記憶されたソフトウェア製品の形態で具現化されてもよい。また、前記記憶媒体としては、U-ディスク、リムーバブルハードディスク、リードオンリメモリ、ランダムアクセスメモリ、磁気ディスク、光ディスク等のプログラムコードを記憶できる種々の媒体を用いることができる。
【０２８５】
当業者であれば、説明の便宜及び簡潔にするために、上記に説明されたシステム、装置及びユニットの特定の動作プロセスが、前述の方法の実施例における対応するプロセスを参照してよく、ここでその説明が省略される。
【０２８６】
明細書で提供されるいくつかの実施例では、開示されるシステム、装置、および方法は、他の方法で実現されてもよいことが理解されるべきである。
【０２８７】
例えば、装置の実施例におけるユニット又はモジュール又はコンポーネントの分割は、１つの論理的機能に対する分割にすぎず、実際の実施においては更なる分割があってもよく、例えば、複数のユニット又はモジュール又はコンポーネントが組み合わされてもよいし、別のシステムに統合されてもよいし、一部のユニット又はモジュール又はコンポーネントが省略されてもよいし、又は実行されなくてもよい。
【０２８８】
また例えば、上記分離表示手段として説明したユニット/モジュール/コンポーネントは、物理的に分離したものであってもよいし、物理的に分離したものでなくてもよく、一箇所にあってもよいし、複数のネットワーク手段に分散していてもよい。また、上記実施例に開示されている複数の構成要素の適宜な組み合わせにより、種々の発明を形成できる。
【０２８９】
最後に、上記に示され、または議論された相互間の結合または直接的な結合または通信接続は、いくつかのインターフェース、デバイスまたはユニットを介した間接的な結合または通信接続であってもよく、電気的、機械的、または他の形態であってもよいことを説明する。
【０２９０】
以上、本発明の実施例を具体的に説明したが、本発明の実施例の保護範囲はこれに限定されるものではなく、本発明の実施例の保護範囲内で当業者であれば容易に変更または置換を想到できるものであり、それらも本発明の実施例の保護範囲に包含されるものである。したがって、本発明の実施例の保護範囲は、特許請求の範囲の保護範囲を基準とするべきである。
【図１】
2021527968.tif 000003
【図２】
2021527968.tif 000004
【図３】
2021527968.tif 000005
【図４】
2021527968.tif 000006
【図５】
2021527968.tif 000007
【図６】
2021527968.tif 000008
【図７】
2021527968.tif 000009
【図８】
2021527968.tif 000010
【図９】
2021527968.tif 000011
【図１０】
2021527968.tif 000012
【図１１】
2021527968.tif 000013
【図１２】
2021527968.tif 000014
【図１３】
2021527968.tif 000015
【図１４】
2021527968.tif 000016
【図１５】
2021527968.tif 000017
【図１６】
2021527968.tif 000018
【図１７】
2021527968.tif 000019
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
端末デバイスが少なくとも１つの下り制御情報ＤＣＩを受信することと、
前記端末デバイスが目標時間ユニットで伝送される複数の上りチャネルを決定し、前記複数の上りチャネルが時間領域において少なくとも一部が重複され、前記少なくとも１つのＤＣＩが前記複数の上りチャネルのうちの少なくとも１つの上りチャネルを示すことと、
前記複数の上りチャネルが制約条件を満たしている場合、前記端末デバイスが前記複数の上りチャネルに搬送される情報を前記目標時間ユニット内の１つのチャネルに多重して伝送することとを含み、
前記制約条件は、
前記複数の上りチャネルのうちの最も早い上りチャネルの１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含む
ことを特徴とする無線通信方法。
【請求項２】
前記複数の上りチャネルは、目標物理下り共有チャネルＰＤＳＣＨに対応する確認／非確認ＡＣＫ／ＮＡＣＫ情報を搬送する少なくとも１つの物理上り制御チャネルＰＵＣＣＨを含み、
前記制約条件は、さらに、
前記複数の上りチャネルのうちの最も早い上りチャネルの１番目のシンボルが前記目標ＰＤＳＣＨの最後のシンボルの後のＢ番目のシンボルよりも早くなく、前記Ｂが非負の整数である
ことを特徴とする請求項１に記載の無線通信方法。
【請求項３】
前記少なくとも１つのＤＣＩは、
物理上り共有チャネルＰＵＳＣＨをスケジューリングするためのＤＣＩを含み、前記複数の上りチャネルが前記ＰＵＳＣＨを含み、及び／又は、
下り準持続ＤＬ  ＳＰＳリソース解放を示すためのＤＣＩを含み、前記複数の上りチャネルが、前記ＤＬ  ＳＰＳリソース解放を示すＤＣＩに対応するＡＣＫ／ＮＡＣＫ情報を搬送するＰＵＣＣＨを含み、及び／又は、
物理下り共有チャネルＰＤＳＣＨをスケジューリングするためのＤＣＩを含み、前記複数の上りチャネルが、前記ＰＤＳＣＨに対応するＡＣＫ／ＮＡＣＫ情報を搬送するＰＵＣＣＨを含む
ことを特徴とする請求項１又は２に記載の無線通信方法。
【請求項４】
前記上りチャネルは、
動的スケジューリング物理上り共有チャネルＰＵＳＣＨ、及び／又は
確認／非確認ＡＣＫ／ＮＡＣＫ情報を搬送する物理上り制御チャネルＰＵＣＣＨ、
を含む
ことを特徴とする請求項１〜３のいずれか１項に記載の無線通信方法。
【請求項５】
ＡがＮ２により取得され、Ｎ２が物理上り共有チャネルＰＵＳＣＨのスケジューリングの準備時間である
ことを特徴とする請求項１〜４のいずれか１項に記載の無線通信方法。
【請求項６】
前記Ａ＝Ｎ２＋１である
ことを特徴とする請求項５に記載の無線通信方法。
【請求項７】
ＢがＮ１及びｄ１,２により取得され、Ｎ１がＰＤＳＣＨ処理時間であり、ｄ１,２の値が物理下り共有チャネルＰＤＳＣＨマッピング方式に関連する
ことを特徴とする請求項１〜４のいずれか１項に記載の無線通信方法。
【請求項８】
前記Ｂ＝Ｎ１＋１＋ｄ１，２である
ことを特徴とする請求項７に記載の無線通信方法。
【請求項９】
前記端末デバイスが前記複数の上りチャネルが制約条件を満たさないと決定する場合、前記目標時間ユニットで伝送される複数の上りチャネルがエラー状態にあると決定する
ことを特徴とする請求項１〜８のいずれか1項に記載の無線通信方法。
【請求項１０】
通信ユニットと、決定ユニットと、を備える通信デバイスであって、
前記通信ユニットは、少なくとも１つの下り制御情報ＤＣＩを受信するように構成され、
前記決定ユニットは、目標時間ユニットで伝送される複数の上りチャネルを決定するように構成され、前記複数の上りチャネルが時間領域において少なくとも一部が重複され、前記少なくとも１つのＤＣＩが前記複数の上りチャネルのうちの少なくとも１つの上りチャネルを示し、
前記複数の上りチャネルが制約条件を満たしている場合、前記通信ユニットは、さらに、前記複数の上りチャネルに搬送する情報を前記目標時間ユニット内の内１つのチャネルに多重して伝送するように構成され、
前記制約条件は、
前記複数の上りチャネルのうちの最も早い上りチャネルの１番目のシンボルが、前記少なくとも１つのＤＣＩを搬送する物理下り制御チャネルＰＤＣＣＨの最後のシンボルの後のＡ番目のシンボルよりも早くなく、前記Ａが非負の整数であることを含む
ことを特徴とする通信デバイス。
【請求項１１】
前記複数の上りチャネルは、目標物理下り共有チャネルＰＤＳＣＨに対応する確認／非確認ＡＣＫ／ＮＡＣＫ情報を搬送する少なくとも１つの物理上り制御チャネルＰＵＣＣＨを含み、
前記制約条件は、さらに、
前記複数の上りチャネルのうちの最も早い上りチャネルの１番目のシンボルが前記目標ＰＤＳＣＨの最後のシンボルの後のＢ番目のシンボルよりも早くなく、前記Ｂが非負の整数である
ことを特徴とする請求項１０に記載の通信デバイス。
【請求項１２】
前記少なくとも１つのＤＣＩは、
物理上り共有チャネルＰＵＳＣＨをスケジューリングするためのＤＣＩを含み、前記複数の上りチャネルが前記ＰＵＳＣＨを含み、及び／又は、
下り準持続ＤＬ  ＳＰＳリソース解放を示すためのＤＣＩを含み、前記複数の上りチャネルが、前記ＤＬ  ＳＰＳリソース解放を示すＤＣＩに対応するＡＣＫ／ＮＡＣＫ情報を搬送するＰＵＣＣＨを含み、及び／又は、
物理下り共有チャネルＰＤＳＣＨをスケジューリングするためのＤＣＩを含み、前記複数の上りチャネルが、前記ＰＤＳＣＨに対応するＡＣＫ／ＮＡＣＫ情報を搬送するＰＵＣＣＨを含む
ことを特徴とする請求項１０又は１１に記載の通信デバイス。
【請求項１３】
前記上りチャネルは、
動的スケジューリング物理上り共有チャネルＰＵＳＣＨ、
及び／又は
確認／非確認ＡＣＫ／ＮＡＣＫ情報を搬送する物理上り制御チャネルＰＵＣＣＨ、
を含む
ことを特徴とする請求項１０〜１２のいずれか１項に記載の通信デバイス。
【請求項１４】
ＡがＮ２により取得され、Ｎ２が物理上り共有チャネルＰＵＳＣＨのスケジューリングの準備時間である
ことを特徴とする請求項１０〜１３のいずれか１項に記載の通信デバイス。
【請求項１５】
前記Ａ＝Ｎ２＋１である
ことを特徴とする請求項１４に記載の通信デバイス。
【請求項１６】
ＢがＮ１及びｄ１,２により取得され、Ｎ１がＰＤＳＣＨ処理時間であり、ｄ１,２の値が物理下り共有チャネルＰＤＳＣＨマッピング方式に関連する
ことを特徴とする請求項１１〜１５のいずれか１項に記載の通信デバイス。
【請求項１７】
前記Ｂ＝Ｎ１＋１＋ｄ１，２である
ことを特徴とする請求項１６に記載の通信デバイス。
【請求項１８】
前記決定ユニットは、さらに、
前記複数の上りチャネルが制約条件を満たさないと決定する場合、前記目標時間ユニットで伝送される複数の上りチャネルがエラー状態にあると決定する
ことを特徴とする請求項１０〜１７のいずれか1項に記載の通信デバイス。
【国際調査報告】
2021527968.tif 000020
2021527968.tif 000021
2021527968.tif 000022
2021527968.tif 000023